(57)【特許請求の範囲】
【請求項１】
少なくとも像担持体と、帯電手段と、露光手段と、形成された潜像をトナーにより現像する現像手段と、転写手段と、前記像担持体の表面に潤滑剤を塗布する潤滑剤塗布手段と、該該像担持体の表面をクリーニングするクリーニング手段と、を有する画像形成装置において、
該画像形成装置は、更に、前記像担持体表面の放電生成物を除去する放電生成物除去手段を有し、
前記トナーは、下記式（１）により求められるトナー体積平均粒径あたりのＢＥＴ比表面積Ａが０．３〜１．７の範囲にあり、かつ、樹脂微粒子と無機微粒子とを含む微粒子（Ｐ）が添加されてなり、前記樹脂微粒子は平均１次粒径が６０〜６００ｎｍの樹脂微粒子（Ｐ１）であることを特徴とする画像形成装置。
式（１）：Ａ＝トナー母体ＢＥＴ比表面積／トナー母体体積平均粒径
【請求項２】
前記トナーは、トナー粒子の体積平均粒径が３．０〜５．５μｍのものであることを特徴とする請求項１に記載の画像形成装置。
【請求項３】
前記トナーは、平均１次粒径６０〜６００ｎｍの前記樹脂微粒子（Ｐ１）が０．５〜４．０ｗｔ％添加されたものであることを特徴とする請求項１又は２に記載の画像形成装置。
【請求項４】
前記トナーは、体積平均粒径（Ｄｖ）と個数平均粒径（Ｄｎ）との比（Ｄｖ／Ｄｎ）が１．００〜１．４０の範囲のものであることを特徴とする請求項１乃至３のいずれかに記載の画像形成装置。
【請求項５】
前記トナーは、２μｍ以下のトナー粒子の含有率が１〜２５個数％のものであることを特徴とする請求項１乃至４のいずれかに記載の画像形成装置。
【請求項６】
前記トナーは、トナー粒子の平均円形度が０．９５０以上、かつ、０．９８０以下の範囲にあることを特徴とする請求項１乃至５のいずれかに記載の画像形成装置。
【請求項７】
前記トナーは、円形度０．９７〜１．０のトナー粒子含有率が４０％未満であることを特徴とする請求項１乃至６のいずれかに記載の画像形成装置。
【請求項８】
前記トナーは、平均一次粒径が１〜５０ｎｍの無機微粒子（Ｐ２）を０．５〜４．０ｗｔ％含むことを特徴とする請求項１乃至７のいずれかに記載の画像形成装置。
【請求項９】
前記無機微粒子（Ｐ２）は、酸化シリカ、及び／又は酸化チタンを含むことを特徴とする請求項１乃至８のいずれかに記載の画像形成装置。
【請求項１０】
前記トナーが、水系で造粒されたトナーであり、かつ、少なくとも結着樹脂と、着色剤と、金属カチオン層間のイオンの少なくとも一部を有機物イオンカチオンで変性した層状無機鉱物とを含有するトナーであることを特徴とする請求項１乃至９のいずれかに記載の画像形成装置。
【請求項１１】
前記潤滑剤塗布手段は、前記クリーニング手段の像担持体回転方向下流側、かつ、前記帯電手段の上流側に設置されることを特徴とする請求項１乃至１０のいずれかに記載の画像形成装置。
【請求項１２】
前記潤滑剤塗布手段の像担持体回転方向下流側かつ前記帯電手段上流側に、潤滑剤均し手段を設置したことを特徴とする請求項１乃至１１のいずれかに記載の画像形成装置。
【請求項１３】
前記像担持体表面を帯電させる帯電手段が、コロナ放電を用いた帯電方式のものであることを特徴とする請求項１乃至１２のいずれかに記載の画像形成装置。
【請求項１４】
前記放電生成物除去手段は、画像面積率が５％以下の画像パターンが連続してある枚数印刷を行った場合に、像担持体表面の放電生成物除去制御を実行するものであることを特徴とする請求項１乃至１３のいずれかに記載の画像形成装置。
【請求項１５】
画像面積率がある一定値以下の画像パターンが連続してある枚数印刷を行った場合に、前記現像手段内の前記トナーを、一定量、前記像担持体表面に供給するトナー吐き出し制御手段を有することを特徴とする請求項１乃至１４のいずれかに記載の画像形成装置。
【請求項１６】
前記像担持体が、フィラーを分散させた感光体であることを特徴とする請求項１乃至１５のいずれかに記載の画像形成装置。
【請求項１７】
前記像担持体が、充填材で補強された表面層を有する有機感光体であるか、架橋型電荷輸送材料を使用した有機感光体であるか、又は充填材で補強された表面層を有しかつ架橋型電荷輸送材料を使用した有機感光体であるかのいずれかであることを特徴とする請求項１乃至１６のいずれかに記載の画像形成装置。
【請求項１８】
前記像担持体が、アモルファスシリコン感光体であることを特徴とする請求項１乃至１７のいずれかに記載の画像形成装置。
【請求項１９】
少なくとも像担持体表面を均一帯電する帯電工程と、該像担持体表面を露光して潜像を形成する露光工程と、形成された潜像をトナーにより現像する現像工程と、トナー像を被転写媒体に転写する転写工程と、前記像担持体の表面に潤滑剤を塗布する潤滑剤塗布工程と、該該像担持体の表面をクリーニングするクリーニング工程と、を有する画像形成方法において、
該画像形成方法は、更に、前記像担持体表面の放電生成物を除去する放電生成物除去工程を有し、
前記トナーは、下記式（１）により求められるトナー体積平均粒径あたりのＢＥＴ比表面積Ａが０．３〜１．７の範囲にあり、かつ、樹脂微粒子と無機微粒子とを含む微粒子（Ｐ）が添加されてなり、前記樹脂微粒子は平均１次粒径が６０〜６００ｎｍの樹脂微粒子（Ｐ１）であることを特徴とする画像形成方法。
式（１）：Ａ＝トナー母体ＢＥＴ比表面積／トナー母体体積平均粒径
【請求項２０】
前記トナーは、トナー粒子の体積平均粒径が３．０〜５．５μｍのものであることを特徴とする請求項１９に記載の画像形成方法。
【請求項２１】
前記トナーは、平均１次粒径６０〜６００ｎｍの前記樹脂微粒子（Ｐ１）が０．５〜４．０ｗｔ％添加されたものであることを特徴とする請求項１９又は２０に記載の画像形成方法。
【請求項２２】
前記トナーは、体積平均粒径（Ｄｖ）と個数平均粒径（Ｄｎ）との比（Ｄｖ／Ｄｎ）が１．００〜１．４０の範囲のものであることを特徴とする請求項１９乃至２１のいずれかに記載の画像形成方法。
【請求項２３】
前記トナーは、２μｍ以下のトナー粒子の含有率が１〜２５個数％のものであることを特徴とする請求項１９乃至２２のいずれかに記載の画像形成方法。
【請求項２４】
前記トナーは、トナー粒子の平均円形度が０．９５０以上、かつ、０．９８０以下の範囲にあることを特徴とする請求項１９乃至２３のいずれかに記載の画像形成方法。
【請求項２５】
前記トナーは、円形度０．９７〜１．０のトナー粒子含有率が４０％未満であることを特徴とする請求項１９乃至２４のいずれかに記載の画像形成方法。
【請求項２６】
前記トナーは、平均一次粒径が１〜５０ｎｍの無機微粒子（Ｐ２）を０．５〜４．０ｗｔ％含むことを特徴とする請求項１９乃至２５のいずれかに記載の画像形成方法。
【請求項２７】
前記無機微粒子（Ｐ２）は、酸化シリカ、及び／又は酸化チタンを含むことを特徴とする請求項１９乃至２６のいずれかに記載の画像形成方法。
【請求項２８】
前記トナーが、水系で造粒されたトナーであり、かつ、少なくとも結着樹脂と、着色剤と、金属カチオン層間のイオンの少なくとも一部を有機物イオンカチオンで変性した層状無機鉱物とを含有するトナーであることを特徴とする請求項１９乃至２７のいずれかに記載の画像形成方法。
【請求項２９】
前記潤滑剤塗布工程は、前記クリーニング工程の後、かつ、前記帯電工程の前に行われることを特徴とする請求項１９乃至２８のいずれかに記載の画像形成方法。
【請求項３０】
前記潤滑剤塗布工程の後かつ前記帯電工程の前に、潤滑剤均し工程を設けたことを特徴とする請求項１９乃至２９のいずれかに記載の画像形成方法。
【請求項３１】
前記像担持体表面を帯電させる帯電工程が、コロナ放電を用いた帯電方式で行われることを特徴とする請求項１９乃至３０のいずれかに記載の画像形成方法。
【請求項３２】
前記放電生成物除去工程は、画像面積率が５％以下の画像パターンが連続してある枚数印刷を行った場合に、像担持体表面の放電生成物除去制御を実行するものであることを特徴とする請求項１９乃至３１のいずれかに記載の画像形成方法。
【請求項３３】
画像面積率がある一定値以下の画像パターンが連続してある枚数印刷を行った場合に、前記現像手段内の前記トナーを、一定量、前記像担持体表面に供給するトナー吐き出し制御工程を有することを特徴とする請求項１９乃至３２のいずれかに記載の画像形成方法。
【請求項３４】
前記像担持体が、フィラーを分散させた感光体であることを特徴とする請求項１９乃至３３のいずれかに記載の画像形成方法。
【請求項３５】
前記像担持体が、充填材で補強された表面層を有する有機感光体であるか、架橋型電荷輸送材料を使用した有機感光体であるか、又は充填材で補強された表面層を有しかつ架橋型電荷輸送材料を使用した有機感光体であるかのいずれかであることを特徴とする請求項１９乃至３４のいずれかに記載の画像形成方法。
【請求項３６】
前記像担持体が、アモルファスシリコン感光体であることを特徴とする請求項１９乃至３５のいずれかに記載の画像形成方法。
【発明の詳細な説明】
【技術分野】
【０００１】
本発明は、複写機、プリンタ等の画像形成装置に関し、詳しくは、像担持体（以降、被帯電体ともいう）と、帯電手段と、現像手段と、転写手段と、クリーニング手段と、潤滑剤塗布手段と、潤滑剤を少なくとも備えた画像形成装置に関するものである。
【背景技術】
【０００２】
従来の画像形成装置は、図２に示したように、帯電手段（１）により像担持体（８）表面の画像形成領域を均一に帯電させ、露光手段（２）により像担持体（１）に書き込みを行い、現像手段（３）により像担持体（８）上に摩擦帯電させたトナーにより画像を形成する。続いて、転写手段（４）により給紙手段（９）から搬送される印刷用紙に直接または中間転写体を介して間接的に印刷用紙に、像担持体（８）上のトナー画像を転写し、その後、定着手段（１０）により画像を印刷用紙に定着させる。一方、像担持体８上に転写しきれずに残留した転写残トナーは、クリーニング手段（７）により像担持体（８）上から掻き落とされる。このとき、クリーニング余裕度を向上させるため、転写手段下流側、かつ、クリーニング工手段程上流側に潤滑剤塗布手段を設け、像担持体に潤滑剤を塗布する。像担持体（８）は円筒形状、または、ベルト形状に形成されており、これら一連の画像形成プロセスを経た後、そのまま次画像形成プロセスに入る。
【０００３】
多色画像形成について見ると、このような、前記各手段からなる画像形成技術により、多色画像を形成するものとしては、像担持体を一つのみ持ちその像担持体で各色について画像を形成するリボルバ方式、また、像担持体を各色１本づつ使用するタンデム方式があり、リボルバ方式ではコストが安く、また、タンデム方式ではコストが高くなってしまうが、高速印刷を行うことができる。現在の主流は、高速印刷が可能なタンデム方式である。
【０００４】
ここで、帯電手段（１）、露光手段（２）、現像手段（３）、転写手段（４）、クリーニング手段（７）等、及び、これら手段に用いられるトナー、潤滑剤、潤滑剤塗布手段等について説明すれば以下のとおりである。画像形成方法についても、像担持体、これを用いる各工程、トナー、潤滑剤の態様は、装置の場合と特に異なるところはないので、同時に説明する。
【０００５】
（帯電手段、帯電工程）
帯電手段（１）としては、ＤＣ、または、ＤＣにＡＣを重畳した、近接帯電方式、接触帯電方式、また、コロナ帯電方式が挙げられる。コロナ帯電方式としては、コロトロン帯電器、スコロトロン帯電器などがある。
従来では、像担持体に帯電を施す帯電手段、帯電工程としては、コロナ放電を利用したコロトロン帯電器、また、スコロトロン帯電器などが主流であった。しかしながら、このコロナ放電を用いた帯電工程、帯電手段は、オゾンが多量に発生してしまったり、また、コロナ放電によって生成されたＮＯｘなどが像担持体に付着し、経時で像流れといった不具合を起こすという問題点があった。またコロナ放電を行わせるために５〜１０ｋＶという高電圧を印加する高電圧電源が必要であるので画像形成装置の低コスト化を図ることが難しかった。
そこで近年、画像形成装置に採用することができる帯電工程、帯電手段として、コロナ放電を利用しない、帯電手段を像担持体に接触させる接触型の帯電工程、帯電手段や、帯電手段を像担持体に近接させる近接型の帯電工程、帯電手段が多く提案されている。この接触型・近接型の帯電手段では、上記コロナ放電を用いた帯電工程、帯電手段の場合に挙げた問題点の多くが解消される一方、像担持体の摩耗量が増大し、寿命を短くしてしまうという問題も発生している。また、印加電圧に交流を用いた場合は騒音の発生も問題になっている。加えて、前記帯電手段がトナーや紙紛を像担持体に擦りつけるので、像担持体表面の汚染を助長し、また、帯電手段表面の汚れによる問題も発生している。そこで、直流電圧に交流電圧を重畳した電圧を帯電部材に印加して感光体を帯電させるＡＣ電圧重畳の帯電方式が注目されている。
【０００６】
（露光工程、露光手段）
露光手段（２）としては、ＬＤ、ＬＥＤランプ、キセノンランプが挙げられ、また、これらによる露光工程が挙げられる。
【０００７】
（現像工程、現像手段）
現像手段（工程）としては、一成分現像手段（工程）や、トナーとキャリアを混合して現像に用いる二成分現像手段（工程）による現像が挙げられる。
現像剤としては、トナー及びキャリアからなる２成分現像剤と、磁性あるいは非磁性トナーのみの１成分現像剤とがある。これらのトナーの製造は樹脂、顔料、帯電制御剤、離型剤を溶融混練し、冷却した後に粉砕、分級する混練粉砕法が一般的であるが、粒径、形状が揃わず、これらを制御するのは困難である。
このような状況下で、近年トナー粒子の粒径を意図的に制御し、前述の問題を解消しようとする試みがあり、水系での造粒として乳化重合法や溶解懸濁法といった重合トナー工法が盛んになった。
また近年、高画質化への要求が高まり、特にカラー画像形成において高精細な画像を実現するため、トナーの小径化かつ粒径均一化の要求も高まっている。粒径分布の広いトナーを用いて画像形成を行うと、微粉トナーが現像スリーブ、接触・近接帯電手段、クリーニングブレード、像担持体（感光体）、キャリアなどを汚染したり、トナー飛散したりするという問題が大きくなり、高画質および高信頼性を同時に果たすことが困難であった。
一方、粒径が揃い、粒径分布がシャープになると個々のトナー粒子の現像挙動が揃って、微小ドット再現性が大きく向上する。しかしながら、小粒径かつ粒子径の揃ったトナーはクリーニング性に関して、問題が生じる。特に、ブレードクリーニングでは均一かつ小粒径なトナーを安定的にクリーニングすることは不可能である。そこで、トナーの工夫により、クリーニング性を改善する方法が様々な形で提案されている。その中の一つとして、トナーを球形から異形させ、対応する方法がある。トナー形状を異形化することで、トナーの粉体流動性を低下させ、ブレードクリーニングによって塞き止めやすくするものである。ただし、トナーの異形度合いを大きくしすぎると、現像の際などにトナーの挙動が不安定となり、微小ドット再現性が悪化することになる。このように、トナーの転写品質、転写効率、クリーニング性などの特性はトナー形状に影響されることから、前記特性を備えたトナーを得るためには、トナー形状分布の最適設計が要求される。
【０００８】
（転写工程、転写手段）
転写手段（４）としては、転写ベルト、転写チャージャ、転写ローラによる転写手段が挙げられる。
【０００９】
（クリーニング工程、クリーニング手段）
クリーニング手段（７）としては、ポリウレタンゴム、シリコーンゴム、ニトリルゴム、クロロプレンゴム等から成る、ブレード形状のクリーニングブレード、または、ファーブラシ、弾性ローラ、チューブ被覆ローラ、不織布などが挙げられる。
従来においては、電子写真方式における画像形成装置のクリーニングは、ブレードによるクリーニングが主であり、ブレードのみのクリーニング工程（手段）を有する画像形成装置が多数存在した。また、高速機においては、部分的に多量のトナーが付着した状態を避けるため、クリーニング補助手段を設けたものも存在する。このとき、クリーニング手段としてクリーニングブレードを用いた場合には、像担持体に対してトレーリング、またはカウンタで当接するようになっている。
クリーニング手段のみでは、像担持体上のトナーのクリーニングが不十分な場合、像担持体回転方向における現像領域下流側で、かつクリーニング手段の上流側に、クリーニング補助手段を搭載し、クリーニング性を向上させる手段がとられてきた。クリーニング補助手段としては、ファーブラシ、弾性ローラ、チューブ被覆ローラ、不織布などが挙げられる。
従来のクリーニング補助手段はクリーニング手段の上流側に設置され、上記のものが使用されてきた。これは、クリーニング工程（クリーニング手段）に導入されるトナーを機械的にかき乱し、クリーニング工程（クリーニング手段）でのクリーニング性を向上することを狙いとしている。この時クリーニング補助手段に電圧を印加し、トナーの極性を制御してクリーニング性を向上させている画像形成装置も発売されている。
【００１０】
また、上記のような画像形成装置において、水系造粒トナーには、より高画質な画像を得るためにその使用が望まれているが、クリーニング性の確保が困難である。そのため、球形度の高いトナーを用いる場合では、クリーニング性の余裕度向上、また、帯電工程、帯電手段（近接または接触帯電方式）における放電による像担持体磨耗、クリーニング手段やトナーなどの接触による、像担持体磨耗、像担持体フィルミング防止のために、像担持体に潤滑剤を塗布する手段をもたせた構成をとることも多い。
【００１１】
（水系造粒トナー）
水系造粒トナーの製造について、特許文献１等には懸濁重合法や乳化重合法などによって湿式中で球形トナーを製造する技術が、また球形トナーに関し、特許文献２、特許文献３等には粉砕トナーを熱処理することによって球形化する技術が提案されており、このようなトナー製造方法によると、トナーの小粒径化も容易である。
【００１２】
（潤滑剤塗布工程、潤滑剤塗布手段）
像担持体の高寿命化、高画質化の為に、像担持体上に潤滑剤を塗布することが行われている。
潤滑剤を塗布する目的としては、次の課題がある。（ｉ）トナーフィルミング（融着）の発生を防止する。（ii）低摩擦係数化によって、転写効率の向上、及び、クリーニング不良の防止。（iii）帯電工程、帯電手段での放電による像担持体磨耗防止があげられる。これらの課題に対しては、例えば特許文献４、特許文献５、特許文献６、特許文献７などに記載される技術が知られており、潤滑剤（５）を像担持体（８）上に塗布することによって解決している。これらの例では、いずれの場合も像担持体（８）上に潤滑剤（５）を塗布し、低摩擦係数化することによって課題を解決している。
【００１３】
上記潤滑剤塗布工程（手段）としては、ファーブラシやループブラシ、ローラ、ベルトにより像担持体に塗布する方法、または、固形潤滑剤や潤滑材の粉体を直接像担持体に塗布する方法でもよい。この潤滑剤塗布技術は、従来クリーニング手段上流側に設置されるクリーニング補助手段に潤滑剤を押し当てることにより潤滑剤を像担持体表面に塗布するといった、クリーニング補助と潤滑剤塗布とを併用させる形態を持つものが多い。
しかし、クリーニング補助と潤滑剤塗布とを併用させた場合、転写残トナーがある領域（画像領域）では、潤滑剤は像担持体に塗布されることがなく、接触部材による像担持体磨耗を十分には防ぐことが出来なかった。
また潤滑剤を像担持体に塗布する他の技術としては、潤滑剤をトナーに外添し、トナー供給とともに潤滑剤を像担持体に塗布するものも知られているが、この技術では、トナーが供給されない領域（非画像領域）においては、潤滑剤は像担持体に塗布されることがなく、放電による像担持体磨耗、接触部材による像担持体磨耗を防ぐことができなかった。
【００１４】
これらの問題を解決するため、像担持体回転方向クリーニング工程（手段）下流側において潤滑剤の粉体を直接像担持体に接触させ、さらに像担持体回転方向下流側かつ帯電工程（手段）上流側に潤滑剤ならしブレードを設けて、像担持体全表面に潤滑剤を塗布することも考案された。また、同様の潤滑剤塗布均一化を図れる技術としては、像担持体回転方向でかつクリーニング工程（手段）下流側において潤滑剤塗布手段に潤滑剤を押当て、潤滑剤塗布手段により潤滑剤を像担持体に塗布する方法も考案された。この場合、潤滑剤塗布工程（手段）の塗布条件により像担持体上潤滑剤の塗布状態が変化するため、潤滑剤塗布工程（手段）の下流側かつ帯電工程（手段）の上流側に潤滑剤均しブレードを設置した構成を取ることもある。これらの方法により、潤滑剤を像担持体全表面に塗布することができ、接触部材による像担持体磨耗から像担持体全表面を保護できるようになった。
【００１５】
また、帯電手段と像担時体の長寿命化をはかる為に、非接触の帯電手段を用い、像担持体の感光層に無機微粒子を分散させ、ステアリン酸亜鉛などを潤滑材として塗布することによって耐磨耗性を向上させている例として、特許文献８に記載の技術がある。加えて、像担持体の表面に塗布された潤滑剤を、帯電手段と現像手段の間で薄く均一に付着、且つ、大きい径の潤滑材をせき止める為のブレード状の補助部材を持った画像形成装置の例として、特許文献９に記載のものが知られている。
【００１６】
上記のような潤滑剤塗布方法に関する技術改良によって、像担持体全面に比較的均一に潤滑剤を塗布することが出来るようになった。それによって、像担持体表面のフィルミング、また、局所的なクリーニング不良の発生、像担持体に接触する接触部材からの磨耗を防ぐことができるようになった。
【００１７】
上記に示したように、従来技術改良により、潤滑剤を像担持体全表面に均一に塗布することが可能となった。
しかし一方、一般的に、接触帯電方式及び近接帯電方式は、コロナ帯電方式と比較して、放電生成物の量が少なく、低電力で帯電を行うことができる。しかしながら、これら帯電方式は、感光体と帯電部材とが接触し、又は、感光体と帯電部材との距離が感光体とチャージワイヤとの距離よりも短くなるため、感光体に対するハザードは、コロナ帯電方式よりも大きいことが明らかになっている。
特に、交流電圧を重畳した場合、放電が交流電圧の周波数に応じて繰り返されるためにハザードは大きくなり、その結果、感光体表面の化学的劣化が進行し、やがては、感光体表面に膜削れが発生する。感光体表面に潤滑剤が塗布されていた場合には、その潤滑剤の分子構造や表面エネルギー等が変化して潤滑性が失われ、潤滑剤は徐々に削られて最終的には消失する、等の問題も有している。
これにより、トナーと像担持体間の付着力が増加し、像担持体幅全面においてクリーニング不良は防ぐことが出来るが、クリーニングブレードをすり抜けるトナーが増加するという問題が発生した。
そして、上記問題発生に起因して、次の問題が新たに発生している。
すなわち、すり抜けたトナーが潤滑剤塗布手段で回収され、固形潤滑剤に付着、それが成長することによって固形潤滑剤、表面にトナーが層となって形成され、潤滑剤が塗布できなくなる。
潤滑剤が塗布できなくなった領域において、フィルミングと、フィルミングによる画像ボケが発生する。
また、上記潤滑剤が塗布されていない領域と、塗布されている領域の境界上では、局所的に摩擦係数（表面性）が大きく異なるため、クリーニングブレードがその個所にて疲労破壊（欠け）を起こす。
ブレードが欠けた個所（トナーが固形潤滑剤に層となった領域の両端）にて、画像不良が発生する。
【００１８】
つまり、潤滑剤を像担持体全表面に塗布した際、クリーングブレードをすり抜けるトナーが増加し、それらが潤滑剤塗布手段で回収され、潤滑剤に固着してしまうことで、上記のような画像不良が発生することが明らかになった。そのため、潤滑剤を像担持体全表面に塗布できるような構成にした際に必要となる、新たな技術的解決手段を盛り込まなければ、像担持体全表面を機械的磨耗、また、放電による磨耗から保護し、長期にわたって使いこなすことはできなかった。
この課題に対しては、特願２００７−２３８７０９号明細書に記載の「下記式（１）により求められるトナー体積平均粒径あたりのＢＥＴ比表面積Ａが、０．３〜１．７の範囲にあり、かつ、平均１次粒径が６０〜６００ｎｍであり、かつ、含水率が０．１〜１．０％である無機微粒子を外添したトナーであることを内容とする画像形成方法。
式（１）：Ａ＝トナー母体ＢＥＴ比表面積／トナー母体体積平均粒径」により、解決できることが分かった。
しかし、トナーをさらに小粒径化すると、上記の発明を以っても、同様の問題（潤滑剤へのトナー固着による、不良画像）が発生し、また、その画像安定性が一層悪くなることが確認された。
その理由は以下のものによると考えられる。
トナーの小粒径化に伴い、転写手段でのトナー転写効率が低下し、クリーニング手段へのトナー入力量が増加する。
トナーの小粒径化に伴い、トナーと像担持体間の付着力が増加するため、クリーニング手段をすり抜けるトナーが増加する。
クリーニングをすり抜けたトナーは、静電的な力により、潤滑剤塗布手段により回収されることはできる。
しかし、クリーニングをすり抜けたトナーの総量が増加していること、かつ、トナーの小粒径化に伴い、潤滑剤への付着力が増加するため、固形潤滑剤表面に、トナーが層となって形成されやすくなる。
つまり、トナーを小粒径化した場合においては、経時で像担持体を安定させ、画像不良の発生を防ぐため、潤滑剤へトナーを固着させない、さらなる技術的解決手段が必要とある。
【００１９】
【特許文献１】特開２００６−２２１０７７号公報
【特許文献２】特開２００５−３３１８０７号公報
【特許文献３】特開２００５−２７５２４５号公報
【特許文献４】特開２００５−２７５２４４号公報
【特許文献５】特開２００５−２６６４２８号公報
【特許文献６】特許第３２４３５９７号公報
【特許文献７】特開平０９−１１４１９３号公報
【特許文献８】特開平０８−２７２１３３号公報
【特許文献９】特開平１０−１４２８９７号公報
【発明の開示】
【発明が解決しようとする課題】
【００２０】
本発明は、上記の従来技術が有する問題点に鑑みてなされたものであって、その目的は、小粒径トナーを使用した場合においても、像担持体全表面に潤滑剤が塗布され、クリーニング手段をすり抜けるトナーが増加した場合においても、潤滑剤にトナーが固着することなく、長期にわたりクリーニングブレード、像担持体を安定して使いこなし、画像形成を行う画像形成装置を提供することにある。
【課題を解決するための手段】
【００２１】
本発明者らは、上記目的を達成するために多くの研究・検討を行ってきた結果、特定のトナーを用いることによって、トナーを小粒径化した場合においても、常に安定して像担持体前表面に潤滑剤を塗布することができることを見出した。即ち、本発明は、ブレードタイプのクリーニング手段の他に潤滑剤塗布手段を有するという特定の画像形勢装置に、特定のトナーを用いることで、トナーの潤滑剤への固着のきっかけとなる潤滑剤の付着を抑制し、経時にわたってフィルミング、クリーニングブレード磨耗、異常画像の発生を防ぐことができるようにものである。
したがって、像担持体表面保護に必要な潤滑剤を塗布した上で、すり抜けたトナーが潤滑剤塗布手段によって回収され、その回収されたトナーが潤滑剤に付着、経時で固着となることを防ぐ必要があるが、本発明におけるトナーは、像担持体表面保護に必要な潤滑剤を塗布した上でも、すり抜けるトナーを低減しつつ、なおかつ潤滑剤に付着しにくいトナーを提供することができる。
【００２２】
上記の課題は下記（１）〜（３６）の本発明によって解決される。
（１）「少なくとも像担持体と、帯電手段と、露光手段と、形成された潜像をトナーにより現像する現像手段と、転写手段と、前記像担持体の表面に潤滑剤を塗布する潤滑剤塗布手段と、該該像担持体の表面をクリーニングするクリーニング手段と、を有する画像形成装置において、
該画像形成装置は、更に、前記像担持体表面の放電生成物を除去する放電生成物除去手段を有し、
前記トナーは、下記式（１）により求められるトナー体積平均粒径あたりのＢＥＴ比表面積Ａが０．３〜１．７の範囲にあり、かつ、樹脂微粒子と無機微粒子とを含む微粒子（Ｐ）が添加されてなり、前記樹脂微粒子は平均１次粒径が６０〜６００ｎｍの樹脂微粒子（Ｐ１）であることを特徴とする画像形成装置；
式（１）：Ａ＝トナー母体ＢＥＴ比表面積／トナー母体体積平均粒径」、
（２）「前記トナーは、トナー粒子の体積平均粒径が３．０〜５．５μｍのものであることを特徴とする前記第（１）項に記載の画像形成装置」、
（３）「前記トナーは、平均１次粒径６０〜６００ｎｍの前記樹脂微粒子（Ｐ１）が０．５〜４．０ｗｔ％添加されたものであることを特徴とする前記第（１）項又は第（２）項に記載の画像形成装置」、
（４）「前記トナーは、体積平均粒径（Ｄｖ）と個数平均粒径（Ｄｎ）との比（Ｄｖ／Ｄｎ）が１．００〜１．４０の範囲のものであることを特徴とする前記第（１）項乃至第（３）項のいずれかに記載の画像形成装置」、
（５）「前記トナーは、２μｍ以下のトナー粒子の含有率が１〜２５個数％のものであることを特徴とする前記第（１）項乃至第（４）項のいずれかに記載の画像形成装置」、
（６）「前記トナーは、トナー粒子の平均円形度が０．９５０以上、かつ、０．９８０以下の範囲にあることを特徴とする前記第（１）項乃至第（５）項のいずれかに記載の画像形成装置」、
（７）「前記トナーは、円形度０．９７〜１．０のトナー粒子含有率が４０％未満であることを特徴とする前記第（１）項乃至第（６）項のいずれかに記載の画像形成装置」、
（８）「前記トナーは、平均一次粒径が１〜５０ｎｍの無機微粒子（Ｐ２）を０．５〜４．０ｗｔ％含むことを特徴とする前記第（１）項乃至第（７）項のいずれかに記載の画像形成装置」、
（９）「前記無機微粒子（Ｐ２）は、酸化シリカ、及び／又は酸化チタンを含むことを特徴とする前記第（１）項乃至第（８）項のいずれかに記載の画像形成装置」、
（１０）「前記トナーが、水系で造粒されたトナーであり、かつ、少なくとも結着樹脂と、着色剤と、金属カチオン層間のイオンの少なくとも一部を有機物イオンカチオンで変性した層状無機鉱物とを含有するトナーであることを特徴とする前記第（１）項乃至第（９）項のいずれかに記載の画像形成装置」、
（１１）「前記潤滑剤塗布手段は、前記クリーニング手段の像担持体回転方向下流側、かつ、前記帯電手段の上流側に設置されることを特徴とする前記第（１）項乃至第（１０）項のいずれかに記載の画像形成装置」、
（１２）「前記潤滑剤塗布手段の像担持体回転方向下流側かつ前記帯電手段上流側に、潤滑剤均し手段を設置したことを特徴とする前記第（１）項乃至第（１１）項のいずれかに記載の画像形成装置」、
（１３）「前記像担持体表面を帯電させる帯電手段が、コロナ放電を用いた帯電方式のものであることを特徴とする前記第（１）項乃至第（１２）項のいずれかに記載の画像形成装置」、
（１４）「前記放電生成物除去手段は、画像面積率が５％以下の画像パターンが連続してある枚数印刷を行った場合に、像担持体表面の放電生成物除去制御を実行するものであることを特徴とする前記第（１）項乃至第（１３）項に記載の画像形成装置」、
（１５）「画像面積率がある一定値以下の画像パターンが連続してある枚数印刷を行った場合に、前記現像手段内の前記トナーを、一定量、前記像担持体表面に供給するトナー吐き出し制御手段を有することを特徴とする前記第（１）項乃至第（１４）項のいずれかに記載の画像形成装置」、
（１６）「前記像担持体が、フィラーを分散させた感光体であることを特徴とする前記第（１）項乃至第（１５）項のいずれかに記載の画像形成装置」、
（１７）「前記像担持体が、充填材で補強された表面層を有する有機感光体であるか、架橋型電荷輸送材料を使用した有機感光体であるか、又は充填材で補強された表面層を有しかつ架橋型電荷輸送材料を使用した有機感光体であるかのいずれかであることを特徴とする前記第（１）項乃至第（１６）項のいずれかに記載の画像形成装置」、
（１８）「前記像担持体が、アモルファスシリコン感光体であることを特徴とする前記第（１）項乃至第（１７）項のいずれかに記載の画像形成装置」、
（１９）「少なくとも像担持体表面を均一帯電する帯電工程と、該像担持体表面を露光して潜像を形成する露光工程と、形成された潜像をトナーにより現像する現像工程と、トナー像を被転写媒体に転写する転写工程と、前記像担持体の表面に潤滑剤を塗布する潤滑剤塗布工程と、該該像担持体の表面をクリーニングするクリーニング工程と、を有する画像形成方法において、
該画像形成方法は、更に、前記像担持体表面の放電生成物を除去する放電生成物除去工程を有し、
前記トナーは、下記式（１）により求められるトナー体積平均粒径あたりのＢＥＴ比表面積Ａが０．３〜１．７の範囲にあり、かつ、樹脂微粒子と無機微粒子とを含む微粒子（Ｐ）が添加されてなり、前記樹脂微粒子は平均１次粒径が６０〜６００ｎｍの樹脂微粒子（Ｐ１）であることを特徴とする画像形成方法。
式（１）：Ａ＝トナー母体ＢＥＴ比表面積／トナー母体体積平均粒径」、
（２０）「前記トナーは、トナー粒子の体積平均粒径が３．０〜５．５μｍのものであることを特徴とする前記第（１９）項に記載の画像形成方法」、
（２１）「前記トナーは、平均１次粒径６０〜６００ｎｍの前記樹脂微粒子（Ｐ１）が０．５〜４．０ｗｔ％添加されたものであることを特徴とする前記第（１９）項又は第（２０）項に記載の画像形成方法」、
（２２）「前記トナーは、体積平均粒径（Ｄｖ）と個数平均粒径（Ｄｎ）との比（Ｄｖ／Ｄｎ）が１．００〜１．４０の範囲のものであることを特徴とする前記第（１９）項乃至第（２１）項のいずれかに記載の画像形成方法」、
（２３）「前記トナーは、２μｍ以下のトナー粒子の含有率が１〜２５個数％のものであることを特徴とする前記第（１９）項乃至第（２２）項のいずれかに記載の画像形成方法」、
（２４）「前記トナーは、トナー粒子の平均円形度が０．９５０以上、かつ、０．９８０以下の範囲にあることを特徴とする前記第（１９）項乃至第（２３）項のいずれかに記載の画像形成方法」、
（２５）「前記トナーは、円形度０．９７〜１．０のトナー粒子含有率が４０％未満であることを特徴とする前記第（１９）項乃至第（２４）項のいずれかに記載の画像形成方法」、
（２６）「前記トナーは、平均一次粒径が１〜５０ｎｍの無機微粒子（Ｐ２）を０．５〜４．０ｗｔ％含むことを特徴とする前記第（１９）項乃至第（２５）項のいずれかに記載の画像形成方法」、
（２７）「前記無機微粒子（Ｐ２）は、酸化シリカ、及び／又は酸化チタンを含むことを特徴とする前記第（１９）項乃至第（２６）項のいずれかに記載の画像形成方法」、
（２８）「前記トナーが、水系で造粒されたトナーであり、かつ、少なくとも結着樹脂と、着色剤と、金属カチオン層間のイオンの少なくとも一部を有機物イオンカチオンで変性した層状無機鉱物とを含有するトナーであることを特徴とする前記第（１９）項乃至第（２７）項のいずれかに記載の画像形成方法」、
（２９）「前記潤滑剤塗布工程は、前記クリーニング工程の後、かつ、前記帯電工程の前に行われることを特徴とする前記第（１９）項乃至第（２８）項のいずれかに記載の画像形成方法」、
（３０）「前記潤滑剤塗布工程の後かつ前記帯電工程の前に、潤滑剤均し工程を設けたことを特徴とする前記第（１９）項乃至第（２９）項のいずれかに記載の画像形成方法」、
（３１）「前記像担持体表面を帯電させる帯電工程が、コロナ放電を用いた帯電方式で行われることを特徴とする前記第（１９）項乃至第（３０）項のいずれかに記載の画像形成方法」、
（３２）「前記放電生成物除去工程は、画像面積率が５％以下の画像パターンが連続してある枚数印刷を行った場合に、像担持体表面の放電生成物除去制御を実行するものであることを特徴とする前記第（１９）項乃至第（３１）項のいずれかに記載の画像形成方法」、
（３３）「画像面積率がある一定値以下の画像パターンが連続してある枚数印刷を行った場合に、前記現像手段内の前記トナーを、一定量、前記像担持体表面に供給するトナー吐き出し制御工程を有することを特徴とする前記第（１９）項乃至第（３２）項のいずれかに記載の画像形成方法」、
（３４）「前記像担持体が、フィラーを分散させた感光体であることを特徴とする前記第（１９）項乃至第（３３）項のいずれかに記載の画像形成方法」、
（３５）「前記像担持体が、充填材で補強された表面層を有する有機感光体であるか、架橋型電荷輸送材料を使用した有機感光体であるか、又は充填材で補強された表面層を有しかつ架橋型電荷輸送材料を使用した有機感光体であるかのいずれかであることを特徴とする前記第（１９）項乃至第（３４）項のいずれかに記載の画像形成方法」、
（３６）「前記像担持体が、アモルファスシリコン感光体であることを特徴とする前記第（１９）項乃至第（３５）項のいずれかに記載の画像形成方法」。
【発明の効果】
【００２３】
［前記第（１）項、第（１９）項］
前記特定の画像形成装置又は画像形成方法と、特定のトナーとの選択的組合せによれば、式Ａを満足するようにトナー母体を作成することで、トナー母体表面に平均１次粒径が６０〜６００ｎｍの微粒子を保持しやすくすることができ、これにより、例えば現像手段中でトナーがキャリアとの衝突を繰り返した場合においても、トナー母体凹部に微粒子が移行するのを防ぐことができ、トナーと像担持体間のスペーサー機能を安定して確保することができる。
これにより、転写手段での転写効率を高くすることができ、さらに、経時で安定した転写効率の維持を実現することができる。
さらに、平均１次粒径が６０〜６００ｎｍの微粒子に、樹脂微粒子を用いることで、さらに転写効率を向上させることができ、経時で安定した転写効率の維持を実現することができる。
またこれにより、クリーニング部への入力トナーの総量自体を低減することができるため、結果としてクリーニング工程、クリーニング手段におけるトナーすり抜けを低減することができ、トナーが潤滑剤に付着する確立自体を低減することができる。
また、平均１次粒径が６０〜６００ｎｍである微粒子を用いることで、トナー粒子と固形潤滑剤間のスペーサー機能を維持することができるために、トナーと潤滑剤間の付着を低減することができ、潤滑剤への付着、固着を低減することができる。特に、平均１次粒径が６０〜６００ｎｍである微粒子に、樹脂微粒子を用いると、トナーの潤滑剤への付着を、より低減することが可能となる。
すなわち、今回の実験結果から、Ａの値が０．６〜１．０がより好ましい範囲と考えられる。
ここで、樹脂微粒子の平均一次粒径が６０〜６００ｎｍの範囲外であった場合、次のような不具合が懸念される。６０ｎｍ未満であった場合（樹脂微粒子の粒径が非常に小さくなった場合）、樹脂微粒子の持つスペーサー機能が消失してしまう。一方、樹脂微粒子が大きすぎた場合、トナーへの付着性が低下することが実験により分かっており、遊離した樹脂微粒子による他不具合（主に像担持体フィルミング）が発生しやすくなる。より大きな樹脂微粒子の場合、潤滑剤へのトナー固着を防ぐことはできないことが本発明において確認されている。
また、前記特定の画像形成装置又は画像形成方法と、特定のトナーとの選択的組合せの場合、特に、更に、前記像担持体表面の放電生成物を除去する放電生成物除去手段、または工程を有することにより、画像形成装置、又は形成方法において発生する放電生成物をトナーを用いることで定期的に除去することができる。これにより、トナーが像担持体表面に接触した際の付着力を大きい状態で放置することがなくなるために、すり抜けトナーの低減、潤滑剤への固着を低減することができる。
ここで、放電生成物除去制御の詳細について説明する。最初に像担持体を任意の速度で回転させる（通常の印刷プロセス速度でよい）。その後、像担持体表面にトナーを現像させる。ここで現像方法として、通常の書込みを行っても、書込みを行なわずに、トナーを現像させる方法（帯電手段で像担持体を帯電させても、させなくてもよい）でもよい。また像担持体へのトナー現像量は問わないが、多すぎるとクリーニング手段への負荷が大きくなり、クリーニング手段の早期磨耗を引き起こす。そのため好ましい現像量の範囲としては、０．１〜０．３ｍｇ／ｃｍ２で、面積として６００ｃｍ２程度が望ましい。その後像担持体表面に現像したトナーを、転写させずにクリーニング手段へ突入させる。その後一定時間像担持体を回転させ、順次廃トナー排出手段により、トナーを排出する。これにより、像担持体表面に付着した放電生成物をクリーニングされるトナーとともに除去することが出来る。放電生成物除去制御とは、このような一連の動作のことを指す。
【００２４】
［前記第（２）項、第（２０）項］
前記特定の画像形成装置又は画像形成方法と、特定のトナーとの選択的組合せにおいて、前記トナーが、特に体積平均粒径が３．０μｍ以上のものであるときには、安定して画像形成が行うことができる。
一方、５．５μｍ以上のトナーを用いた場合、画像の鮮明さが劣る場合もあり得ることから、使用することが難かしいことがある。
【００２５】
［前記第（３）項、第（２１）項］
前記特定の画像形成装置又は画像形成方法と、特定のトナーとの選択的組合せの場合、特に、前記平均１次粒径が６０〜６００ｎｍである微粒子の含有率が、０．５〜４ｗｔ％であるときには、現像装置内でキャリアに移行することなく、長期にわたり安定した現像を行うことができるだけでなく、一方、クリーニングにおけるクリーニング余裕度を向上させることができ、トナーのすり抜けを低減、すなわち、潤滑剤へのトナー固着を低減することができる。
【００２６】
［前記第（４）項、第（２２）項］
前記特定の画像形成装置又は画像形成方法と、特定のトナーとの選択的組合せの場合、特に、前記トナーが、体積平均粒径（Ｄｖ）と個数平均粒径（Ｄｎ）との比（Ｄｖ／Ｄｎ）が１．００〜１．４０の範囲のものであるときには、前記粒径あたりの表面積（トナー母体の比表面積）をより適正に実現することが可能となる。
【００２７】
［前記第（５）項、第（２３）項］
前記特定の画像形成装置又は画像形成方法と、特定のトナーとの選択的組合せの場合、特に、前記トナーが、２μｍ以下のトナー粒子の含有率が１〜２５個数％のものであるときには、粒径あたりの表面積（トナー母体粒子の比表面積）をより適正に実現することが可能となる。
【００２８】
［前記第（６）項、第（２４）項］
前記特定の画像形成装置又は画像形成方法と、特定のトナーとの選択的組合せの場合、特に、前記トナーのトナー粒子の平均円形度が０．９５０以上、かつ、０．９８０以下の範囲にあるときには、トナー粒子の円形度を小さくすることにより、クリーニング性を確保しつつ、すり抜けトナーの低減、つまり、潤滑剤への固着低減を実現することができ、かつ、トナー表面に過度に凹凸がないことにより、平均１次粒径が６０〜６００ｎｍである微粒子がトナー凹部に転がり込むことを低減し、経時にわたってスペーサー機能、クリーニング性を確保し、すり抜けトナー、潤滑剤への固着を低減することができる。
【００２９】
［前記第（７）項、第（２５）項］
前記特定の画像形成装置又は画像形成方法と、特定のトナーとの選択的組合せの場合、特に、前記トナーは、該トナー粒子の円形度０．９７〜１．０のトナー粒子含有率が４０％未満であることにより、クリーニング性を安定して確保、つまり、すり抜けトナーの潤滑剤への固着を低減することができる。
【００３０】
［前記第（８）項、第（２６）項］
前記特定の画像形成装置又は画像形成方法と、特定のトナーとの選択的組合せの場合、特に、前記トナーは、平均一次粒径が１〜５０ｎｍの無機微粒子（Ｐ２）を０．５〜４．０ｗｔ％含むことにより、現像器中で経時でキャリアとの衝突を繰り替えし、平均１次粒径が６０〜６００ｎｍである微粒子遊離、または凹部に転がり込んで、スペーサー機能を失った場合においても、トナー間付着力を低減することができるため、潤滑剤への固着のスピードを小さくさせることができる。
【００３１】
［前記第（９）項、第（２７）項］
前記特定の画像形成装置又は画像形成方法と、特定のトナーとの選択的組合せの場合、特に、前記無機微粒子（Ｐ２）が、酸化シリカ、及び／又は酸化チタンを含むものであるときには、前記第（８）項、第（２６）項における効果をより発現しやすくなり、潤滑剤への固着スピードを低減することができる。
【００３２】
［前記第（１０）項、第（２８）項］
前記特定の画像形成装置又は画像形成方法と、特定のトナーとの選択的組合せの場合、特に、前記トナーが、水系で造粒されたトナーであり、かつ、少なくとも結着樹脂と、着色剤と、金属カチオン層間のイオンの少なくとも一部を有機物イオンカチオンで変性した層状無機鉱物とを含有するトナーであるときには、前記トナーのトナー粒子の単位粒径あたりのトナー表面積を簡単に得ることができる。
【００３３】
［前記第（１１）項、第（２９）項］
前記特定の画像形成装置又は画像形成方法と、特定のトナーとの選択的組合せの場合、特に、前記潤滑剤塗布手段が、前記クリーニング手段の像担持体回転方向下流側、かつ、前記帯電手段の上流側に設置されるものであることにより、トナーが一度クリーニングされた像担持体表面に潤滑剤を塗布することができるため、潤滑剤を像担持体前表面に塗布することができるため、像担持体表面磨耗を低減することができる。
また、一度クリーニングされているので、トナーが潤滑剤に接触する個数が低減でき、潤滑剤にトナーが固着することを低減することができる。
【００３４】
［前記第（１２）項、第（３０）項］
前記特定の画像形成装置又は画像形成方法と、特定のトナーとの選択的組合せの場合、特に、前記潤滑剤塗布手段、又は工程の像担持体回転方向下流側かつ前記帯電手段（工程）上流側に、潤滑剤均し手段、又は工程を設けたことにより、塗布手段で塗布された直後の粒状潤滑剤を、潰して象担持体表面に均一に潤滑剤を塗布することができるようになり、像担持体表面磨耗を防ぐことが出来る。また、これにより、像担持体表面にできた傷に引っかかり、強く像担持体に付着したトナーを少なくすることが出来るため、クリーニングブレードでのすり抜けトナーを低減、潤滑剤への固着を低減することができる。
【００３５】
［前記第（１３）項、第（３１）項］
前記特定の画像形成装置又は画像形成方法と、特定のトナーとの選択的組合せの場合、特に、帯電手段又は工程が、コロナ放電を用いた帯電方式のものであることにより、潤滑剤表面を放電により劣化させ、その摩擦係数を上げることがなくなるために、クリーニングブレードでのすり抜けを低減、つまり、潤滑剤への固着を低減することができる。
【００３７】
［前記第（１４）項、第（３２）項］
前記特定の画像形成装置又は画像形成方法と、特定のトナーとの選択的組合せの場合、特に、放電生成物除去手段、または工程は、画像面積率がある一定値以下の画像パターンが連続してある枚数印刷を行ったとき、像担持体表面の放電生成物除去制御を実行するものであることにより、キャリアとの衝突によりスペーサー機能が完全に失われる前にトナーを現像、クリーニング、排出することで、劣化し、すり抜けやすくなったトナーが増加、クリーニングをすり抜けるトナー個数が増加するのを防ぐことができる。
【００３８】
［前記第（１５）項、第（３３）項］
前記特定の画像形成装置又は画像形成方法と、特定のトナーとの選択的組合せの場合、特に、画像面積率がある一定値以下の画像パターンが連続してある枚数印刷を行った場合に、前記現像手段、または工程内の前記トナーを、一定量、前記像担持体表面に供給するトナー吐出制御手段を有することにより、より表面の硬い像担持体を用いることで、像担持体表面の傷発生を防ぐことができ、その傷にトナー粒子が引っかかり、トナーと像担持体の付着力が増加し、クリーニング手段をすり抜けるのを防ぐことができる。これにより、潤滑剤へのトナー固着を低減することができる。
【００３９】
［前記第（１６）項、第（３４）項］
前記特定の画像形成装置又は画像形成方法と、特定のトナーとの選択的組合せの場合、特に、前記像担持体が、フィラーを分散させた感光体であることにより、より表面の硬い像担持体を用いることで、像担持体表面の傷発生を防ぐことができ、その傷にトナー粒子が引っかかり、トナーと像担持体の付着力が増加し、クリーニング手段をすり抜けるのを防ぐことができる。これにより、潤滑剤へのトナー固着を低減することができる。
【００４０】
［前記第（１７）項、第（３５）項］
前記特定の画像形成装置又は画像形成方法と、特定のトナーとの選択的組合せの場合、特に、前記像担持体が、充填材で補強された表面層を有する有機感光体であるか、架橋型電荷輸送材料を使用した有機感光体であるか、又は充填材で補強された表面層を有しかつ架橋型電荷輸送材料を使用した有機感光体であるかのいずれかであることにより、より表面の硬い像担持体を用いることで、像担持体表面の傷発生を防ぐことが出来、その傷にトナー粒子が引っかかり、トナーと像担持体の付着力が増加し、クリーニング手段をすり抜けるのを防ぐことができる。これにより、潤滑剤へのトナー固着を低減することができる。
【００４１】
［前記第（１８）項、第（３６）項］
前記特定の画像形成装置又は画像形成方法と、特定のトナーとの選択的組合せの場合、特に、前記像担持体が、アモルファスシリコン感光体であることにより、同様に、より表面の硬い像担持体を用いることで、像担持体表面の傷発生を防ぐことができ、その傷にトナー粒子が引っかかり、トナーと像担持体の付着力が増加し、クリーニング手段をすり抜けるのを防ぐことができる。これにより、潤滑剤へのトナー固着を低減することができる。
【発明を実施するための最良の形態】
【００４２】
以下、発明を実施するための最良の形態を説明するが、本発明はこれに限定されるものではない。
本発明を実施するために特に適した画像形成装置の形態の１例を、図３に示す。同図に示される装置において、帯電手段（１）により像担持体（８）表面の画像形成領域を均一に帯電させ、露光手段（２）により像担持体（１）に書き込みを行い、現像手段（３）により像担持体８上に摩擦帯電させたトナーにより画像を形成する。続いて、転写手段（４）により給紙手段（９）から搬送される印刷用紙に直接または中間転写体を介して間接的に印刷用紙に、像担持体（８）上のトナー画像を転写し、その後、定着手段（１０）により画像を印刷用紙に定着させる。一方、像担持体（８）上に転写しきれずに残留した転写残トナーは、クリーニング手段（７）により像担持体（８）上から掻き落とされる。このとき、クリーニング余裕度を向上させるため、転写手段下流側、かつ、クリーニング手段上流側に潤滑剤塗布手段を設け、像担持体に潤滑剤を塗布する。像担持体（８）は円筒形状、または、ベルト形状に形成されており、これら一連の画像形成プロセスを経た後、そのまま次画像形成プロセスに入る。
【００４３】
このようなプロセスからなる画像形成装置、または画像形成工程を、多色画像形成に適用する際には、像担持体を一つのみ持ちその像担持体で各色について画像を形成するリボルバ方式、また、像担持体を各色１本で使用するタンデム方式があり、リボルバ方式ではコストが安く、また、タンデム方式ではコストが高くなってしまうが、高速印刷を行うことができる。現在の主流は、高速印刷が可能なタンデム方式であるが、本発明の実施においては、どちらの形態を用いても良い。
【００４４】
ここで、帯電手段（１）、露光手段（２）、現像手段（３）、転写手段（４）、クリーニング手段（７）等、及び、これら手段に用いられるトナー、潤滑剤、潤滑剤塗布手段について、画像形成方法と共に、下記に詳細に説明する。
【００４５】
［帯電手段、帯電工程］
帯電手段（１）としては、ＤＣ、または、ＤＣにＡＣを重畳した、近接帯電方式、接触帯電方式、また、コロナ帯電方式が挙げられる。コロナ帯電方式としては、コロトロン帯電器、スコロトロン帯電器などがある。このような帯電手段（１）を使用した帯電工程自体は、公知であるので、帯電工程についての詳細な説明は省略する。
【００４６】
［露光手段、露光工程］
露光手段（２）としては、ＬＤ、ＬＥＤランプ、キセノンランプによる露光方法が挙げられる。このような露光手段（２）を用いたユニットプロセスとしての帯電工程自体は、公知であるので、饒舌を避けるため、詳細な説明は省略する（以下同）。
【００４７】
「現像手段、現像工程」
現像手段としては、一成分現像手段や、トナーとキャリアを混合して現像に用いる二成分現像手段による現像方法が挙げられる。
現像剤としては、トナー及びキャリアからなる２成分現像剤と、磁性あるいは非磁性トナーのみの１成分現像剤とがある。これらのトナーの製造は樹脂、顔料、帯電制御剤、離型剤を溶融混練し、冷却した後に粉砕、分級する混練粉砕法のような物理的方法、及び、樹脂成分を溶解した有機溶媒の液滴から有機溶媒を除去してトナー母体粒子を得る方法、各種重合法、トナー用樹脂原料を含むＯ／Ｗ型又はＷ／Ｏ型エマルジョン中に含まれる樹脂原料成分をエマルジョン中で伸長及び／又は架橋反応させることを含む部分重合法等の化学的方法、が用いられる。
【００４８】
［転写手段、転写工程］
転写手段（４）としては、転写ベルト、転写チャージャ、転写ローラによる転写方法が挙げられる。
【００４９】
［クリーニング手段、クリーニング工程］
クリーニング手段（７）としては、ポリウレタンゴム、シリコーンゴム、ニトリルゴム、クロロプレンゴム等から成る、ブレード形状のクリーニングブレード、または、ファーブラシ、弾性ローラ、チューブ被覆ローラ、不織布などが挙げられる。うち、クリーニング手段としてクリーニングブレードを用いた場合には、像担持体に対してトレーリング、またはカウンタで当接するようになっている。
【００５０】
［クリーニング補助手段］
クリーニング手段、またはクリーニング工程のみでは、像担持体上のトナーのクリーニングが不十分な場合、像担持体回転方向転写手段、転写工程下流側でクリーニング手段、またはクリーニング工程の上流側に、クリーニング補助手段を搭載し、クリーニング性を向上させる手段を用いても良い、クリーニング補助手段としては、ファーブラシ、弾性ローラ、チューブ被覆ローラ、不織布などが挙げられる。
このとき（場合）、クリーニング補助手段に電圧を印加し、トナーの極性を制御してクリーニング性を向上させてもよい。
【００５１】
［潤滑剤塗布手段、潤滑剤塗布工程］
上記潤滑剤塗布手段、潤滑剤塗布工程としては、ファーブラシやループブラシ、ローラ、ベルトにより像担持体に塗布する方法が挙げられる。また、毛先がループ状になるように構成されたループブラシを用いてもよい。
この潤滑剤塗布手段、塗布工程は、従来のようにクリーニング手段、クリーニング工程上流側に設置されるクリーニング補助手段に潤滑剤を押し当てることにより潤滑剤を像担持体表面に塗布するといった、クリーニング補助手段と潤滑剤塗布手段とを併用させる形態を持ってもよい。
また、潤滑剤塗布手段（工程）とクリーニング手段（工程）の下流側、かつ帯電手段（工程）上流側に設置してもよい。
【００５２】
［潤滑剤］
潤滑剤（材、以下同）（５）としては、脂肪酸金属塩からなり、この脂肪酸金属塩は、ステアリン酸、パルミチン酸、ミリスチン酸、オレイン酸の群から選択される１以上の脂肪酸を含有し、亜鉛、アルミニウム、カルシウム、マグネシウム、鉄、リチウムの群から選択される１以上の金属を含有し、粉体状の脂肪酸金属塩を固形化して形成されているものが好ましい。固形化する前の粉体としては、より微小の粉体であることが好適である。ステアリン酸亜鉛は代表的なラメラ結晶紛体であるが、このような物質を固形化し潤滑剤として使用することは好適である。ラメラ結晶は両親媒性分子が自己組織化した層状構造を有しており、剪断力が加わると層間に沿って結晶が割れて滑りやすい。この作用が低摩擦係数化に効果があり、剪断力を受けて均一に像担持体（典型的には感光体）（８）表面を覆っていくラメラ結晶の特性は、少量の潤滑剤（５）によって効果的に像担持体（８）表面を覆うことができる。
脂肪酸金属塩は、直鎖状の炭化水素の構造を持つため、層間のすべりが起こりやすく、良好な潤滑性を発揮する。また、このような直鎖状の脂肪酸金属塩の場合、金属を選択することにより、良好な耐候性を持つことできる。
【００５３】
［潤滑剤なら（均）し手段、潤滑剤ならし工程］
潤滑剤ならし手段（１２）としては、ポリウレタンゴム、シリコーンゴム、ニトリルゴム、クロロプレンゴム等からなる、ブレード形状の材料が適用できる。
このときのブレードの形状としては、カウンタで当接する場合、像担持体（８）に接触するブレードエッジの先端を鈍角形状（９０°〜１８０°）にしたブレードを適用できる。このような形状とすることにより、像担持体（８）へのブレード当接圧を増加させ、潤滑剤ならし効率の向上を図ることができる。
また、像担持体（８）への潤滑剤ならし手段（１２）としてのブレードの当接は、像担持体（８）の回転方向に対してトレーリングでも、カウンタでもよい。
潤滑剤均し手段（１２）としてブレードが用いられる際には、クリーニング手段（７）と併用させても良いが、潤滑剤塗布手段（６）がクリーニング手段（７）の下流側にある場合には、潤滑剤均し手段（１２）を潤滑剤塗布手段（６）下流側かつ帯電手段（１）上流側に設置することが望ましい。
【００５４】
また、前記第（１）記載の画像形成装置、及び第（１９）項記載の画像形成方法に関し、前記現像手段、又は現像工程で、像担持体上の静電潜像の現像に使用されるトナーのトナー粒子は、該粒子の体積平均粒径あたりのＢＥＴ比表面積Ａが、０．３〜１．７の範囲にあり、樹脂微粒子と無機微粒子とを含む微粒子（Ｐ）を含有し、かつ、平均１次粒径が６０〜６００ｎｍである樹脂微粒子（Ｐ１）が外添されたトナーであることが好ましい。
式（１）：Ａ＝トナー母体ＢＥＴ比表面積／トナー母体体積平均粒径
【００５５】
平均一次粒子径６０〜６００ｎｍの樹脂粒子（Ｐ１）としては、樹脂粒子として綜研化学社製アクリル非架橋型単分散樹脂粒子ＭＰ−１４５１を用いることができ、実施例でもこれを用いているが、他の平均一次粒子径６０〜６００ｎｍの樹脂粒子としては、綜研化学社製の、アクリル非架橋型単分散樹脂粒子、ＭＰ３００、ＭＰ２２００、ＭＰ２７０１、ＭＰ５０００、ＭＰ５５００、ＭＰ４００９が挙げられ、これらを使用してもよい。本発明において、全樹脂粒子中の該樹脂粒子（Ｐ１）の量は、主要部（一般的には５０％以上、好ましくは６０％以上、より好ましくは９０％以上）である。
【００５６】
また、前記第（２）項及び第（２０）項に関し、本発明の画像形成装置、画像形成方法に用いられるトナーは、その体積平均粒径が３．０〜５．５μｍであることが好ましい。
【００５７】
［粒径測定方法］
トナー粒子の体積平均粒径（Ｄｖ）及び個数平均粒径（Ｄｎ）は、粒度測定器（「マルチサイザーIII」、ベックマンコールター社製）を用い、アパーチャー径１００μｍで測定し、解析ソフト（Beckman Coulter Mutlisizer 3 Version3.51）にて解析を行った。
具体的にはガラス製１００ｍｌビーカーに１０ｗｔ％界面活性剤（アルキルベンゼンスフォン酸塩ネオゲンＳＣ−Ａ；第一工業製薬製）を０．５ｍｌ添加し、各トナー０．５ｇ添加しミクロスパーテルでかき混ぜ、次いでイオン交換水８０ｍｌを添加した。得られた分散液を超音波分散器（Ｗ−１１３ＭＫ−II本多電子社製）で１０分間分散処理した。
前記分散液を前記マルチサイザーIIIを用い、測定用溶液としてアイソトンIII（ベックマンコールター製）を用いて測定を行った。
測定は装置が示す濃度が８±２％に成るように前記トナーサンプル分散液を滴下した。本測定法は粒径の測定再現性の点から前記濃度を８±２％にすることが重要である。この濃度範囲であれば粒径に誤差は生じない。
【００５８】
また、前記第（３）項及び第（２１）項に関し、本発明の画像形成装置、画像形成方法に用いられるトナーは、前記のように、平均１次粒径が６０〜６００ｎｍである樹脂微粒子が０．５〜４．０Ｗｔ％添加されていることが望ましい。また、体積平均粒径（Ｄｖ）と個数平均粒径（Ｄｎ）との比（Ｄｖ／Ｄｎ）が１．００〜１．４０の範囲にあることが望ましい。
【００５９】
［トナー粒子の粒径分布］
６００ｄｐｉ以上の微少ドットを再現するために、トナー粒子の体積平均粒径は、前記のように、３〜８μｍであることが好ましい。
体積平均粒径（Ｄｖ）と個数平均粒径（Ｄｎ）との比（Ｄｖ／Ｄｎ）は１．００〜１．４０の範囲にあることが好ましい。
（Ｄｖ／Ｄｎ）が１．００に近いほど粒径分布がシャープであることを示す。このような小粒径で粒径分布の狭いトナーでは、トナーの帯電量分布が均一になり、地肌かぶりの少ない高品位な画像を得ることができ、また、静電転写方式では転写率を高くすることができる。
本発明におけるトナー粒子の粒径はコールターカウンター法によるものであるが、コールターカウンター法によるトナー粒子の粒度分布の測定装置としては、コールターカウンターＴＡ−IIや、コールターマルチサイザーII（いずれもコールター社製）が挙げられる。
以下に測定方法について述べる。
まず、電解水溶液１００〜１５０ｍｌ中に分散剤として界面活性剤（好ましくはアルキルベンゼンスルホン酸塩）を０．１〜５ｍｌ加える。
ここで、電解液とは１級塩化ナトリウムを用いて約１％ＮａＣｌ水溶液を調製したもので、例えばＩＳＯＴＯＮ−II（コールター社製）が使用できる。
更に測定試料を２〜２０ｍｇ加える。試料を懸濁した電解液は、超音波分散器で約１〜３分間分散処理を行い、前記測定装置により、アパーチャーとして１００μｍアパーチャーを用いて、トナー粒子又はトナーの体積、個数を測定して、体積分布と個数分布を算出する。得られた分布から、トナーの重量平均粒径（Ｄ４）、個数平均粒径を求めることができる。
チャンネルとしては、２．００〜２．５２μｍ未満；２．５２〜３．１７μｍ未満；３．１７〜４．００μｍ未満；４．００〜５．０４μｍ未満；５．０４〜６．３５μｍ未満；６．３５〜８．００μｍ未満；８．００〜１０．０８μｍ未満；１０．０８〜１２．７０μｍ未満；１２．７０〜１６．００μｍ未満；１６．００〜２０．２０μｍ未満；２０．２０〜２５．４０μｍ未満；２５．４０〜３２．００μｍ未満；３２．００〜４０．３０μｍ未満の１３チャンネルを使用し、粒径２．００μｍ以上乃至４０．３０μｍ未満の粒子を対象とする。
【００６０】
また、前記第（５）項及び第（２３）項に関し、本発明の画像形成装置、画像形成方法に用いられるトナーは、前記のように、２μｍ以下の粒子が１〜２５個数％であることが望ましい。
【００６１】
［２μｍ以下粒径の測定］
トナーの２μｍ以下の粒子率及び円形度は、フロー式粒子像分析装置ＦＰＩＡ−２０００（東亜医用電子株式会社製）により計測できる。
具体的な測定法としては、容器中の予め不純固形物を除去した水１００〜１５０ｍｌ中に分散剤として界面活性剤、好ましくはアルキルベンゼンスフォン酸塩を０．１〜０．５ｍｌ加え、更に測定試料を０．１〜０．５ｇ程度加える。試料を分散した懸濁液は超音波分散器で約１〜３分間分散処理を行い、分散液濃度を３０００〜１万個／μｌとして前記装置によりトナーの形状及び分布を測定することによって得られる。
【００６２】
［平均円形度の測定方法；２μｍ以下粒径の測定方法に同じ］
また、本発明における前記「２μｍ以下の粒子が１〜２５個数％」及び「円形度が０．９７〜１．０」について詳細に説明すると、トナーの２μｍ以下の粒子率及び円形度はフロー式粒子像分析装置ＦＰＩＡ−２０００（東亜医用電子株式会社製）により計測できる。
具体的な測定法としては、容器中の予め不純固形物を除去した水１００〜１５０ｍｌ中に分散剤として界面活性剤、好ましくはアルキルベンゼンスフォン酸塩を０．１〜０．５ｍｌ加え、更に測定試料を０．１〜０．５ｇ程度加える。試料を分散した懸濁液は超音波分散器で約１〜３分間分散処理を行い、分散液濃度を３０００〜１万個／μｌとして前記装置によりトナーの形状及び分布を測定することによって得られる。
【００６３】
本発明で用いる「無機微粒子」、及び、そのうちの「無機微粒子（Ｐ２）」は、前記のように、酸化シリカ、また、酸化チタンを含むことが望ましい。
環境安定性付与剤として疎水性酸化チタン微粒子もしくは疎水性アルミナ微粒子を使用するのが好ましく、さらに流動性付与剤、環境安定性付与剤として、疎水性シリカ微粒子と疎水性酸化チタン微粒子もしくは疎水性アルミナ微粒子を併用するのがより好ましい。
【００６４】
本発明に用いるトナーは、水系で造粒されたトナーであり、かつ、少なくとも結着樹脂と、着色剤と、金属カチオン層間のイオンの少なくとも一部を有機物イオンカチオンで変性した層状無機鉱物とを含有するトナーであることが望ましい。
【００６５】
［水系造粒トナー］
当該トナーは、以下の方法により、製造することができる。そして、少なくとも層状無機鉱物が有する金属カチオンの少なくとも一部を有機カチオンで変性した層状無機鉱物（有機変性クレイ）をトナーに含有させることが効果的である。
さらに、このトナーは、少なくとも有機溶媒中に結着樹脂、変性ポリエステル系樹脂から成るプレポリマー、該プレポリマーと伸長または架橋する化合物、着色剤、離型剤、少なくとも層状無機鉱物が有する金属カチオンの少なくとも一部を有機カチオンで変性した層状無機鉱物（有機変性クレイ）を溶解又は分散させた、溶解液または分散液において、少なくとも層状無機鉱物が有する金属カチオンの少なくとも一部を有機カチオンで変性した層状無機鉱物（有機変性クレイ）が、該溶解液または分散液中の固形分中に０．０５〜１０％含有されているトナーであることが、より望ましい。
このとき、このトナーは、少なくとも有機溶媒中に結着樹脂、変性ポリエステル系樹脂から成るプレポリマー、該プレポリマーと伸長または架橋する化合物、着色剤、離型剤、層状無機鉱物（有機変性クレイ）を溶解又は分散させ、該溶解液又は分散液を水系媒体中で架橋反応及び／又は伸長反応させ、得られた分散液から溶媒を除去することにより得られたトナーであることが望ましい。また、該溶解液または分散液の２５℃におけるＣａｓｓｏｎ降伏値が、１〜１００Ｐａであることが好ましい。より詳細なトナーの製造方法に関する説明を以下に示す。
【００６６】
［少なくとも層状無機鉱物が有する金属カチオンの少なくとも一部を有機カチオンで変性した層状無機鉱物］
本発明におけるトナーに用いる、少なくとも層状無機鉱物が有する金属カチオンの少なくとも一部を有機カチオンで変性した層状無機鉱物は、少なくとも有機溶媒中に結着樹脂、変性ポリエステル系樹脂から成るプレポリマー、該プレポリマーと伸長または架橋する化合物、着色剤、離型剤、該有機変性クレイを溶解又は分散させた溶解液または分散液において、２５℃におけるＣａｓｓｏｎ降伏値を、１〜１００Ｐａにするものであることが極めて好ましい。Ｃａｓｓｏｎ降伏値が１Ｐａ未満では、目標の形状が得にくく、１００Ｐａを超えると製造性が悪化する。
また、該有機変性クレイは、該溶解液または分散液中の固形分中に０．０５〜１０％含有されることが好ましい。０．０５％未満では目標のＣａｓｓｏｎ降伏値が得られず、１０％を超えると、定着性能が悪化することがある。
少なくとも層状無機鉱物が有する金属カチオンの少なくとも一部を有機カチオンで変性した層状無機鉱物としては、有機変性モンモリナイト、有機変性スメクタイト等が挙げられる。
【００６７】
＜Ｃａｓｓｏｎ降伏値測定方法＞
Ｃａｓｓｏｎ降伏値は、ハイシェア粘度計等を用いて測定できる。
測定条件を下記に示す。
装置：ＡＲ２０００（ＴＡインスツルメンツ社製）
シア−ストレス１２０Ｐａ／５分
ジオメトリー：４０ｍｍスチールプレート
ジオメトリーギャップ：１ｍｍ
解析ソフト：ＴＡ  ＤＡＴＡ  ＡＮＡＬＹＳＩＳ（ＴＡインスツルメンツ社製）
【００６８】
本発明の画像形成装置、画像形成方法に好適に用いられるトナー例の１つは、少なくとも、窒素原子を含む官能基を有するポリエステルプレポリマー、ポリエステル、着色剤、離型剤とを有機溶媒中に分散させたトナー材料液を、水系溶媒中で架橋及び／又は伸長反応させて得られるトナーである。
以下に、該トナーの構成材料及び製造方法について、具体的に説明する。
【００６９】
＜ポリエステル＞
ポリエステルは、多価アルコール化合物と多価カルボン酸化合物との重縮合反応によって得られる。
多価アルコール化合物（ＰＯ）としては、２価アルコール（ＤＩＯ）および３価以上の多価アルコール（ＴＯ）が挙げられ、（ＤＩＯ）単独、または（ＤＩＯ）と少量の（ＴＯ）との混合物が好ましい。
２価アルコール（ＤＩＯ）としては、アルキレングリコール（エチレングリコール、１，２−プロピレングリコール、１，３−プロピレングリコール、１，４−ブタンジオール、１，６−ヘキサンジオールなど）、アルキレンエーテルグリコール（ジエチレングリコール、トリエチレングリコール、ジプロピレングリコール、ポリエチレングリコール、ポリプロピレングリコール、ポリテトラメチレンエーテルグリコールなど）、脂環式ジオール（１，４−シクロヘキサンジメタノール、水素添加ビスフェノールＡなど）、ビスフェノール類（ビスフェノールＡ、ビスフェノールＦ、ビスフェノールＳなど）、上記脂環式ジオールのアルキレンオキサイド（エチレンオキサイド、プロピレンオキサイド、ブチレンオキサイドなど）付加物、上記ビスフェノール類のアルキレンオキサイド（エチレンオキサイド、プロピレンオキサイド、ブチレンオキサイドなど）付加物等が挙げられる。
これらのうち、好ましいものは、炭素数２〜１２のアルキレングリコールおよびビスフェノール類のアルキレンオキサイド付加物であり、特に好ましいものはビスフェノール類のアルキレンオキサイド付加物、およびこれと炭素数２〜１２のアルキレングリコールとの併用である。
【００７０】
３価以上の多価アルコール（ＴＯ）としては、３〜８価またはそれ以上の多価脂肪族アルコール（グリセリン、トリメチロールエタン、トリメチロールプロパン、ペンタエリスリトール、ソルビトールなど）、３価以上のフェノール類（トリスフェノールＰＡ、フェノールノボラック、クレゾールノボラックなど）、上記３価以上のポリフェノール類のアルキレンオキサイド付加物等が挙げられる。
【００７１】
多価カルボン酸（ＰＣ）としては、２価カルボン酸（ＤＩＣ）および３価以上の多価カルボン酸（ＴＣ）が挙げられ、（ＤＩＣ）単独、および（ＤＩＣ）と少量の（ＴＣ）との混合物が好ましい。
２価カルボン酸（ＤＩＣ）としては、アルキレンジカルボン酸（コハク酸、アジピン酸、セバシン酸など）、アルケニレンジカルボン酸（マレイン酸、フマール酸など）、芳香族ジカルボン酸（フタル酸、イソフタル酸、テレフタル酸、ナフタレンジカルボン酸など）等が挙げられる。このうち好ましいものは、炭素数４〜２０のアルケニレンジカルボン酸および炭素数８〜２０の芳香族ジカルボン酸である。
３価以上の多価カルボン酸（ＴＣ）としては、炭素数９〜２０の芳香族多価カルボン酸（トリメリット酸、ピロメリット酸など）等が挙げられる。
なお、多価カルボン酸（ＰＣ）としては、上述のものの酸無水物または低級アルキルエステル（メチルエステル、エチルエステル、イソプロピルエステルなど）を用いて多価アルコール（ＰＯ）と反応させてもよい。
【００７２】
多価アルコール（ＰＯ）と多価カルボン酸（ＰＣ）の比率は、水酸基［ＯＨ］とカルボキシル基［ＣＯＯＨ］の当量比［ＯＨ］／［ＣＯＯＨ］として、通常２／１〜１／１、好ましくは１．５／１〜１／１、さらに好ましくは１．３／１〜１．０２／１である。
多価アルコール（ＰＯ）と多価カルボン酸（ＰＣ）の重縮合反応は、テトラブトキシチタネート、ジブチルチンオキサイド等、公知のエステル化触媒の存在下、１５０〜２８０℃に加熱し、必要により減圧としながら生成する水を留去して、水酸基を有するポリエステルを得る。
ポリエステルの水酸基価は５以上であることが好ましく、ポリエステルの酸価は通常１〜３０、好ましくは５〜２０である。
前記酸価を持たせることで負帯電性となりやすく、さらには記録紙への定着時、記録紙とトナーの親和性がよく低温定着性が向上する。
しかし、酸価が３０を超えると帯電の安定性、特に環境変動に対し悪化傾向がある。
また、重量平均分子量１万〜４０万、好ましくは２万〜２０万である。
重量平均分子量が１万未満では、耐オフセット性が悪化するため好ましくない。また、４０万を超えると低温定着性が悪化するため好ましくない。
【００７３】
ポリエステルには、上記の重縮合反応で得られる未変性ポリエステルの他に、ウレア変性のポリエステルを含有することが好ましい。ウレア変性のポリエステルは、上記の重縮合反応で得られるポリエステルの末端のカルボキシル基や水酸基等と多価イソシアネート化合物（ＰＩＣ）とを反応させ、イソシアネート基を有するポリエステルプレポリマー（Ａ）を得、これとアミン類との反応により分子鎖が架橋及び／又は伸長されて得られるものである。
多価イソシアネート化合物（ＰＩＣ）としては、脂肪族多価イソシアネート（テトラメチレンジイソシアネート、ヘキサメチレンジイソシアネート、２，６−ジイソシアナトメチルカプロエートなど）、脂環式ポリイソシアネート（イソホロンジイソシアネート、シクロヘキシルメタンジイソシアネートなど）、芳香族ジイソシアネート（トリレンジイソシアネート、ジフェニルメタンジイソシアネートなど）、芳香脂肪族ジイソシアネート（α，α，α’，α’−テトラメチルキシリレンジイソシアネートなど）、イソシアネート類、前記ポリイソシアネートをフェノール誘導体、オキシム、カプロラクタムなどでブロックしたもの、およびこれら２種以上の併用が挙げられる。
多価イソシアネート化合物（ＰＩＣ）の比率は、イソシアネート基［ＮＣＯ］と、水酸基を有するポリエステルの水酸基［ＯＨ］の当量比［ＮＣＯ］／［ＯＨ］として、通常５／１〜１／１、好ましくは４／１〜１．２／１、さらに好ましくは２．５／１〜１．５／１である。
［ＮＣＯ］／［ＯＨ］が５を超えると低温定着性が悪化する。［ＮＣＯ］のモル比が１未満では、ウレア変性ポリエステルを用いる場合、そのエステル中のウレア含量が低くなり、耐ホットオフセット性が悪化する。
【００７４】
イソシアネート基を有するポリエステルプレポリマー（Ａ）中の多価イソシアネート化合物（ＰＩＣ）構成成分の含有量は、通常０．５〜４０ｗｔ％、好ましくは１〜３０ｗｔ％、さらに好ましくは２〜２０ｗｔ％である。０．５ｗｔ％未満では、耐ホットオフセット性が悪化するとともに、耐熱保存性と低温定着性の両立の面で不利になる。また、４０ｗｔ％を超えると低温定着性が悪化する。
イソシアネート基を有するポリエステルプレポリマー（Ａ）中の１分子当たりに含有されるイソシアネート基は、通常１個以上、好ましくは平均１．５〜３個、さらに好ましくは平均１．８〜２．５個である。１分子当たり１個未満では、ウレア変性ポリエステルの分子量が低くなり、耐ホットオフセット性が悪化する。
次に、ポリエステルプレポリマー（Ａ）と反応させるアミン類（Ｂ）としては、２価アミン化合物（Ｂ１）、３価以上の多価アミン化合物（Ｂ２）、アミノアルコール（Ｂ３）、アミノメルカプタン（Ｂ４）、アミノ酸（Ｂ５）、および（Ｂ１）〜（Ｂ５）のアミノ基をブロックしたもの（Ｂ６）等が挙げられる。
２価アミン化合物（Ｂ１）としては、芳香族ジアミン（フェニレンジアミン、ジエチルトルエンジアミン、４，４’−ジアミノジフェニルメタンなど）、脂環式ジアミン（４，４’−ジアミノ−３，３’−ジメチルジシクロヘキシルメタン、ジアミンシクロヘキサン、イソホロンジアミンなど）、および脂肪族ジアミン（エチレンジアミン、テトラメチレンジアミン、ヘキサメチレンジアミンなど）等が挙げられる。３価以上の多価アミン化合物（Ｂ２）としては、ジエチレントリアミン、トリエチレンテトラミン等が挙げられる。
アミノアルコール（Ｂ３）としては、エタノールアミン、ヒドロキシエチルアニリンなどが挙げられる。アミノメルカプタン（Ｂ４）としては、アミノエチルメルカプタン、アミノプロピルメルカプタン等が挙げられる。アミノ酸（Ｂ５）としては、アミノプロピオン酸、アミノカプロン酸等が挙げられる。（Ｂ１）〜（Ｂ５）のアミノ基をブロックしたもの（Ｂ６）としては、前記（Ｂ１）〜（Ｂ５）のアミン類とケトン類（アセトン、メチルエチルケトン、メチルイソブチルケトンなど）から得られるケチミン化合物、オキサゾリジン化合物等が挙げられる。これらアミン類（Ｂ）のうち好ましいものは、（Ｂ１）および（Ｂ１）と少量の（Ｂ２）の混合物である。
アミン類（Ｂ）の比率は、イソシアネート基を有するポリエステルプレポリマー（Ａ）中のイソシアネート基［ＮＣＯ］と、アミン類（Ｂ）中のアミノ基［ＮＨｘ］の当量比［ＮＣＯ］／［ＮＨｘ］として、通常１／２〜２／１、好ましくは１．５／１〜１／１．５、さらに好ましくは１．２／１〜１／１．２である。［ＮＣＯ］／［ＮＨｘ］が２を超えたり１／２未満であったりすると、ウレア変性ポリエステルの分子量が低くなり、耐ホットオフセット性が悪化する。
【００７５】
また、ウレア変性ポリエステル中には、ウレア結合と共にウレタン結合を含有していてもよい。ウレア結合含有量とウレタン結合含有量のモル比は、通常１００／０〜１０／９０であり、好ましくは８０／２０〜２０／８０、さらに好ましくは、６０／４０〜３０／７０である。ウレア結合のモル比が１０％未満では、耐ホットオフセット性が悪化する。
ウレア変性ポリエステルは、ワンショット法等により製造される。多価アルコール（ＰＯ）と多価カルボン酸（ＰＣ）を、テトラブトキシチタネート、ジブチルチンオキサイドなど公知のエステル化触媒の存在下、１５０〜２８０℃に加熱し、必要により減圧としながら生成する水を留去して、水酸基を有するポリエステルを得る。次いで４０〜１４０℃にて、これに多価イソシアネート（ＰＩＣ）を反応させ、イソシアネート基を有するポリエステルプレポリマー（Ａ）を得る。さらにこの（Ａ）にアミン類（Ｂ）を０〜１４０℃にて反応させ、ウレア変性ポリエステルを得る。
上記（ＰＩＣ）を反応させる際、及び（Ａ）と（Ｂ）を反応させる際には、必要により溶剤を用いてもよい。例えば、芳香族溶剤（トルエン、キシレンなど）、ケトン類（アセトン、メチルエチルケトン、メチルイソブチルケトンなど）、エステル類（酢酸エチルなど）；アミド類（ジメチルホルムアミド、ジメチルアセトアミドなど）、およびエーテル類（テトラヒドロフランなど）等のイソシアネート（ＰＩＣ）に対して不活性な溶剤が適用できる。
また、ポリエステルプレポリマー（Ａ）とアミン類（Ｂ）との架橋及び／又は伸長反応には、必要により反応停止剤を用い、得られるウレア変性ポリエステルの分子量を調整することができる。反応停止剤としては、モノアミン（ジエチルアミン、ジブチルアミン、ブチルアミン、ラウリルアミンなど）、およびそれらをブロックしたもの（ケチミン化合物）等が挙げられる。
【００７６】
ウレア変性ポリエステルの重量平均分子量は、通常１万以上、好ましくは２万〜１０００万、さらに好ましくは３万〜１００万である。１万未満では耐ホットオフセット性が悪化する。ウレア変性ポリエステル等の数平均分子量は、先の未変性ポリエステルを用いる場合は特に限定されるものではなく、前記重量平均分子量とするのに得やすい数平均分子量でよい。
ウレア変性ポリエステルを単独で使用する場合は、その数平均分子量は、通常２０００〜１５０００、好ましくは２０００〜１００００、さらに好ましくは２０００〜８０００である。２００００を超えると低温定着性およびフルカラー装置に用いた場合の光沢性が悪化する。
未変性ポリエステルとウレア変性ポリエステルとを併用することで、低温定着性およびフルカラー画像形成装置（例えば図1のような画像形成装置）に用いた場合の光沢性が向上するので、ウレア変性ポリエステルを単独で使用するよりも好ましい。尚、未変性ポリエステルはウレア結合以外の化学結合で変性されたポリエステルを含んでも良い。
未変性ポリエステルとウレア変性ポリエステルとは、少なくとも一部が相溶していることが低温定着性、耐ホットオフセット性の面で好ましい。従って、未変性ポリエステルとウレア変性ポリエステルとは類似の組成であることが好ましい。
また、未変性ポリエステルとウレア変性ポリエステルとの重量比は、通常２０／８０〜９５／５、好ましくは７０／３０〜９５／５、さらに好ましくは７５／２５〜９５／５、特に好ましくは８０／２０〜９３／７である。ウレア変性ポリエステルの重量比が５％未満では、耐ホットオフセット性が悪化するとともに、耐熱保存性と低温定着性の両立の面で不利になる。
【００７７】
未変性ポリエステルとウレア変性ポリエステルとを含むバインダー樹脂のガラス転移点（Ｔｇ）は、通常４５〜６５℃、好ましくは４５〜６０℃である。４５℃未満ではトナーの耐熱性が悪化し、６５℃を超えると低温定着性が不十分となる。
また、ウレア変性ポリエステルは、得られるトナー母体粒子の表面に存在しやすいため、公知のポリエステル系トナーと比較して、ガラス転移点が低くても耐熱保存性が良好な傾向を示す。
【００７８】
＜着色剤＞
着色剤としては、公知の染料及び顔料が使用でき、例えば、カーボンブラック、ニグロシン染料、鉄黒、ナフトールイエローＳ、ハンザイエロー（１０Ｇ、５Ｇ、Ｇ）、カドミュウムイエロー、黄色酸化鉄、黄土、黄鉛、チタン黄、ポリアゾイエロー、オイルイエロー、ハンザイエロー（ＧＲ、Ａ、ＲＮ、Ｒ）、ピグメントイエローＬ、ベンジジンイエロー（Ｇ、ＧＲ）、パーマネントイエロー（ＮＣＧ）、バルカンファストイエロー（５Ｇ、Ｒ）、タートラジンレーキ、キノリンイエローレーキ、アンスラザンイエローＢＧＬ、イソインドリノンイエロー、ベンガラ、鉛丹、鉛朱、カドミュウムレッド、カドミュウムマーキュリレッド、アンチモン朱、パーマネントレッド４Ｒ、パラレッド、ファイセーレッド、パラクロルオルトニトロアニリンレッド、リソールファストスカーレットＧ、ブリリアントファストスカーレット、ブリリアントカーンミンＢＳ、パーマネントレッド（Ｆ２Ｒ、Ｆ４Ｒ、ＦＲＬ、ＦＲＬＬ、Ｆ４ＲＨ）、ファストスカーレットＶＤ、ベルカンファストルビンＢ、ブリリアントスカーレットＧ、リソールルビンＧＸ、パーマネントレッドＦ５Ｒ、ブリリアントカーミン６Ｂ、ピグメントスカーレット３Ｂ、ボルドー５Ｂ、トルイジンマルーン、パーマネントボルドーＦ２Ｋ、ヘリオボルドーＢＬ、ボルドー１０Ｂ、ボンマルーンライト、ボンマルーンメジアム、エオシンレーキ、ローダミンレーキＢ、ローダミンレーキＹ、アリザリンレーキ、チオインジゴレッドＢ、チオインジゴマルーン、オイルレッド、キナクリドンレッド、ピラゾロンレッド、ポリアゾレッド、クロームバーミリオン、ベンジジンオレンジ、ペリノンオレンジ、オイルオレンジ、コバルトブルー、セルリアンブルー、アルカリブルーレーキ、ピーコックブルーレーキ、ビクトリアブルーレーキ、無金属フタロシアニンブルー、フタロシアニンブルー、ファストスカイブルー、インダンスレンブルー（ＲＳ、ＢＣ）、インジゴ、群青、紺青、アントラキノンブルー、ファストバイオレットＢ、メチルバイオレットレーキ、コバルト紫、マンガン紫、ジオキサンバイオレット、アントラキノンバイオレット、クロムグリーン、ジンクグリーン、酸化クロム、ピリジアン、エメラルドグリーン、ピグメントグリーンＢ、ナフトールグリーンＢ、グリーンゴールド、アシッドグリーンレーキ、マラカイトグリーンレーキ、フタロシアニングリーン、アントラキノングリーン、酸化チタン、亜鉛華、リトポン及びそれらの混合物が使用できる。
着色剤の含有量はトナーに対して通常１〜１５重量％、好ましくは３〜１０重量％である。
【００７９】
着色剤は、樹脂と複合化されたマスターバッチとして用いることもできる。
マスターバッチの製造、またはマスターバッチとともに混練されるバインダー樹脂としては、ポリスチレン、ポリ−ｐ−クロロスチレン、ポリビニルトルエン等のスチレン及びその置換体の重合体、あるいはこれらとビニル化合物との共重合体、ポリメチルメタクリレート、ポリブチルメタクリレート、ポリ塩化ビニル、ポリ酢酸ビニル、ポリエチレン、ポリプロピレン、ポリエステル、エポキシ樹脂、エポキシポリオール樹脂、ポリウレタン、ポリアミド、ポリビニルブチラール、ポリアクリル酸樹脂、ロジン、変性ロジン、テルペン樹脂、脂肪族又は脂環族炭化水素樹脂、芳香族系石油樹脂、塩素化パラフィン、パラフィンワックス等が挙げられ、これらは単独あるいは混合して使用できる。
【００８０】
［荷電制御剤］
荷電制御剤としては公知のものをいずれも使用できる。例えばニグロシン系染料、トリフェニルメタン系染料、クロム含有金属錯体染料、モリブデン酸キレート顔料、ローダミン系染料、アルコキシ系アミン、４級アンモニウム塩（フッ素変性４級アンモニウム塩を含む）、アルキルアミド、燐の単体または化合物、タングステンの単体または化合物、フッ素系活性剤、サリチル酸金属塩、及びサリチル酸誘導体の金属塩等である。
具体的にはニグロシン系染料のボントロン０３、４級アンモニウム塩のボントロンＰ−５１、含金属アゾ染料のボントロンＳ−３４、オキシナフトエ酸系金属錯体のＥ−８２、サリチル酸系金属錯体のＥ−８４、フェノール系縮合物のＥ−８９（以上、オリエント化学工業社製）、４級アンモニウム塩モリブデン錯体のＴＰ−３０２、ＴＰ−４１５（以上、保土谷化学工業社製）、４級アンモニウム塩のコピーチャージＰＳＹ  ＶＰ２０３８、トリフェニルメタン誘導体のコピーブルーＰＲ、４級アンモニウム塩のコピーチャージ  ＮＥＧ  ＶＰ２０３６、コピーチャージ  ＮＸ  ＶＰ４３４（以上、ヘキスト社製）、ＬＲＡ−９０１、ホウ素錯体であるＬＲ−１４７（日本カーリット社製）、銅フタロシアニン、ペリレン、キナクリドン、アゾ系顔料、その他スルホン酸基、カルボキシル基、４級アンモニウム塩等の官能基を有する高分子系の化合物が挙げられる。
このうち、特にトナーを負極性に制御する物質が好ましく使用される。
荷電制御剤の使用量は、バインダー樹脂の種類、必要に応じて使用される添加剤の有無、分散方法を含めたトナー製造方法によって決定されるもので、一義的に限定されるものではないが、好ましくはバインダー樹脂１００重量部に対して、０．１〜１０重量部の範囲で用いられる。好ましくは、０．２〜５重量部の範囲であるものとする。１０重量部を超える場合にはトナーの帯電性が大きすぎ、荷電制御剤の効果を減退させ、現像ローラとの静電的吸引力が増大し、現像剤の流動性低下や、画像濃度の低下を招く。
【００８１】
［離型剤］
離型剤としては、融点が５０〜１２０℃の低融点のワックスが、バインダー樹脂との分散の中でより離型剤として効果的に定着ローラとトナー界面との間で働き、これにより定着ローラにオイルの如き離型剤を塗布することなく高温オフセットに対し効果を示す。
このようなワックス成分としては、以下のものが挙げられる。
ロウ類及びワックス類としては、カルナバワックス、綿ロウ、木ロウ、ライスワックス等の植物系ワックス、ミツロウ、ラノリン等の動物系ワックス、オゾケライト、セルシン等の鉱物系ワックス、及びパラフィン、マイクロクリスタリン、ペトロラタム等の石油ワックス等が挙げられる。
また、これら天然ワックスの外に、フィッシャー・トロプシュワックス、ポリエチレンワックス等の合成炭化水素ワックス、エステル、ケトン、エーテル等の合成ワックス等が挙げられる。
さらに、１２−ヒドロキシステアリン酸アミド、ステアリン酸アミド、無水フタル酸イミド、塩素化炭化水素等の脂肪酸アミド、及び低分子量の結晶性高分子樹脂である、ポリ−ｎ−ステアリルメタクリレート、ポリ−ｎ−ラウリルメタクリレート等のポリアクリレートのホモ重合体あるいは共重合体（例えば、ｎ−ステアリルアクリレート−エチルメタクリレートの共重合体等）等、側鎖に長いアルキル基を有する結晶性高分子等も適用できる。
荷電制御剤、離型剤はマスターバッチ、バインダー樹脂とともに溶融混練することもできるし、もちろん有機溶剤に溶解、分散する際に加えても良い。
【００８２】
＜水系造粒トナーの製造方法＞
次に、該トナーの製造方法について説明する。なお下記においては、具体例を示すものとし、本発明に適用する当該トナーの製造方法は、下記に限定されるものではない。
（ａ）．着色剤、未変性ポリエステル、イソシアネート基を有するポリエステルプレポリマー、離型剤を有機溶媒中に分散させトナー材料液を作る。
有機溶媒は、沸点が１００℃未満の揮発性であることが、トナー母体粒子形成後の除去が容易である点から好ましい。具体的には、トルエン、キシレン、ベンゼン、四塩化炭素、塩化メチレン、１，２−ジクロロエタン、１，１，２−トリクロロエタン、トリクロロエチレン、クロロホルム、モノクロロベンゼン、ジクロロエチリデン、酢酸メチル、酢酸エチル、メチルエチルケトン、メチルイソブチルケトン等を、単独あるいは２種以上組み合せて用いることができる。特に、トルエン、キシレン等の芳香族系溶媒および塩化メチレン、１，２−ジクロロエタン、クロロホルム、四塩化炭素等のハロゲン化炭化水素が好適である。
有機溶媒の使用量は、ポリエステルプレポリマー１００重量部に対し、通常０〜３００重量部、好ましくは０〜１００重量部、さらに好ましくは２５〜７０重量部である。
（ｂ）．トナー材料液を界面活性剤、樹脂微粒子の存在下、水系媒体中で乳化させる。
水系媒体は、水単独でも良いし、アルコール（メタノール、イソプロピルアルコール、エチレングリコールなど）、ジメチルホルムアミド、テトラヒドロフラン、セルソルブ類（メチルセルソルブなど）、低級ケトン類（アセトン、メチルエチルケトンなど）などの有機溶媒を含むものであってもよい。
トナー材料液１００重量部に対する水系媒体の使用量は、通常５０〜２０００重量部、好ましくは１００〜１０００重量部である。５０重量部未満ではトナー材料液の分散状態が悪く、所定の粒径のトナー粒子が得られない。２００００重量部を超えると経済的でない。
また、水系媒体中の分散を良好にするために、界面活性剤、樹脂微粒子等の分散剤を適宜加える。
界面活性剤としては、アルキルベンゼンスルホン酸塩、α−オレフィンスルホン酸塩、リン酸エステルなどのアニオン性界面活性剤、アルキルアミン塩、アミノアルコール脂肪酸誘導体、ポリアミン脂肪酸誘導体、イミダゾリンなどのアミン塩型や、アルキルトリメチルアンモニム塩、ジアルキルジメチルアンモニウム塩、アルキルジメチルベンジルアンモニウム塩、ピリジニウム塩、アルキルイソキノリニウム塩、塩化ベンゼトニウムなどの４級アンモニウム塩型のカチオン性界面活性剤、脂肪酸アミド誘導体、多価アルコール誘導体などの非イオン界面活性剤、例えばアラニン、ドデシルジ（アミノエチル）グリシン、ジ（オクチルアミノエチル）グリシンやＮ−アルキル−Ｎ，Ｎ−ジメチルアンモニウムべタイン等の両性界面活性剤が挙げられる。
また、フルオロアルキル基を有する界面活性剤を用いることにより、非常に少量でその効果を発揮することができる。好適なフルオロアルキル基を有するアニオン性界面活性剤としては、炭素数２〜１０のフルオロアルキルカルボン酸及びその金属塩、パーフルオロオクタンスルホニルグルタミン酸ジナトリウム、３−［ω−フルオロアルキル（Ｃ６〜Ｃ１１）オキシ］−１−アルキル（Ｃ３〜Ｃ４）スルホン酸ナトリウム、３−［ω−フルオロアルカノイル（Ｃ６〜Ｃ８）−Ｎ−エチルアミノ］−１−プロパンスルホン酸ナトリウム、フルオロアルキル（Ｃ１１〜Ｃ２０）カルボン酸及び金属塩、パーフルオロアルキルカルボン酸（Ｃ７〜Ｃ１３）及びその金属塩、パーフルオロアルキル（Ｃ４〜Ｃ１２）スルホン酸及びその金属塩、パーフルオロオクタンスルホン酸ジエタノールアミド、Ｎ−プロピル−Ｎ−（２−ヒドロキシエチル）パーフルオロオクタンスルホンアミド、パーフルオロアルキル（Ｃ６〜Ｃ１０）スルホンアミドプロピルトリメチルアンモニウム塩、パーフルオロアルキル（Ｃ６〜Ｃ１０）−Ｎ−エチルスルホニルグリシン塩、モノパーフルオロアルキル（Ｃ６〜Ｃ１６）エチルリン酸エステル等が挙げられる。
商品名としては、サーフロンＳ−１１１、Ｓ−１１２、Ｓ−１１３（旭硝子社製）、フロラードＦＣ−９３、ＦＣ−９５、ＦＣ−９８、ＦＣ−１２９（住友３Ｍ社製）、ユニダインＤＳ−１０１、ＤＳ−１０２（ダイキン工業社製）、メガファックＦ−１１０、Ｆ−１２０、Ｆ−１１３、Ｆ−１９１、Ｆ−８１２、Ｆ−８３３（大日本インキ社製）、エクトップＥＦ−１０２、１０３、１０４、１０５、１１２、１２３Ａ、１２３Ｂ、３０６Ａ、５０１、２０１、２０４、（トーケムプロダクツ社製）、フタージェントＦ−１００、Ｆ１５０（ネオス社製）等が挙げられる。
また、カチオン性界面活性剤としては、フルオロアルキル基を有する脂肪族１級、２級もしくは２級アミン酸、パーフルオロアルキル（Ｃ６−Ｃ１０）スルホンアミドプロピルトリメチルアンモニウム塩等の脂肪族４級アンモニウム塩、ベンザルコニウム塩、塩化ベンゼトニウム、ピリジニウム塩、イミダゾリニウム塩、商品名としてはサーフロンＳ−１２１（旭硝子社製）、フロラードＦＣ−１３５（住友３Ｍ社製）、ユニダインＤＳ−２０２（ダイキンエ業杜製）、メガファックＦ−１５０、Ｆ−８２４（大日本インキ社製）、エクトップＥＦ−１３２（トーケムプロダクツ社製）、フタージェントＦ−３００（ネオス社製）等が挙げられる。
【００８３】
樹脂微粒子は、水系媒体中で形成されるトナー母体粒子を安定化させるために加えられる。このために、トナー母体粒子の表面上に存在する被覆率が１０〜９０％の範囲になるように加えられることが好ましい。
例えば、ポリメタクリル酸メチル微粒子１μｍ、及び３μｍ、ポリスチレン微粒子０．５μｍ及び２μｍ、ポリ（スチレン―アクリロニトリル）微粒子１μｍ、商品名では、ＰＢ−２００Ｈ（花王社製）、ＳＧＰ（総研社製）、テクノポリマーＳＢ（積水化成品工業社製）、ＳＧＰ−３Ｇ（総研社製）、ミクロパール（積水ファインケミカル社製）等がある。
また、リン酸三カルシウム、炭酸カルシウム、酸化チタン、コロイダルシリカ、ヒドロキシアパタイト等の無機化合物分散剤も用いることができる。
【００８４】
上記の樹脂微粒子、無機化合物分散剤と併用して使用可能な分散剤として、高分子系保護コロイドにより分散液滴を安定化させても良い。
例えばアクリル酸、メタクリル酸、α−シアノアクリル酸、α−シアノメタクリル酸、イタコン酸、クロトン酸、フマール酸、マレイン酸または無水マレイン酸等の酸類、あるいは水酸基を含有する（メタ）アクリル系単量体、例えばアクリル酸−β−ヒドロキシエチル、メタクリル酸−β−ヒドロキシエチル、アクリル酸−β−ヒドロキシプロビル、メタクリル酸−β−ヒドロキシプロピル、アクリル酸−γ−ヒドロキシプロピル、メタクリル酸−γ−ヒドロキシプロピル、アクリル酸−３−クロロ２−ヒドロキシプロビル、メタクリル酸−３−クロロ−２−ヒドロキシプロピル、ジエチレングリコールモノアクリル酸エステル、ジエチレングリコールモノメタクリル酸エステル、グリセリンモノアクリル酸エステル、グリセリンモノメタクリル酸エステル、Ｎ−メチロールアクリルアミド、Ｎ−メチロールメタクリルアミド等、ビニルアルコールまたはビニルアルコールとのエーテル類、例えばビニルメチルエーテル、ビニルエチルエーテル、ビニルプロピルエーテル等、またはビニルアルコールとカルボキシル基を含有する化合物のエステル類、例えば酢酸ビニル、プロピオン酸ビニル、酪酸ビニル等、アクリルアミド、メタクリルアミド、ジアセトンアクリルアミドあるいはこれらのメチロール化合物、アクリル酸クロライド、メタクリル酸クロライド等の酸クロライド類、ビニルピリジン、ビニルピロリドン、ビニルイミダゾール、エチレンイミン等の含窒素化合物、またはその複素環を有するもの等のホモポリマーまたは共重合体、ポリオキシエチレン、ポリオキシプロピレン、ポリオキシエチレンアルキルアミン、ポリオキシプロピレンアルキルアミン、ポリオキシエチレンアルキルアミド、ポリオキシプロピレンアルキルアミド、ポリオキシエチレンノニルフェニルエーテル、ポリオキシエチレンラウリルフェニルエーテル、ポリオキシエチレンステアリルフェニルエステル、ポリオキシエチレンノニルフェニルエステルなどのポリオキシエチレン系、メチルセルロース、ヒドロキシエチルセルロース、ヒドロキシプロピルセルロースなどのセルロース類等が使用できる。
【００８５】
分散方法としては、特に限定されるものではないが、低速せん断式、高速せん断式、摩擦式、高圧ジェット式、超音波等の公知の方式をいずれも適用できる。
この中でも、分散体の粒径を２〜２０μｍにするために高速せん断式が好ましい。高速せん断式分散機を使用した場合、回転数は特に限定はないが、通常１０００〜３００００ｒｐｍ、好ましくは５０００〜２００００ｒｐｍである。分散時間は特に限定はないが、バッチ方式の場合は、通常０．１〜５分である。分散時の温度としては、通常、０〜１５０℃（加圧下）、好ましくは４０〜９８℃である。
【００８６】
（ｃ）．乳化液の作製と同時に、アミン類（Ｂ）を添加し、イソシアネート基を有するポリエステルプレポリマー（Ａ）との反応を行わせる。
この反応は、分子鎖の架橋及び／又は伸長を伴う。反応時間は、ポリエステルプレポリマー（Ａ）の有するイソシアネート基構造とアミン類（Ｂ）との反応性により選択されるが、通常１０分〜４０時間、好ましくは２〜２４時間である。反応温度は、通常、０〜１５０℃、好ましくは４０〜９８℃である。また、必要に応じて公知の触媒を使用することができる。具体的にはジブチルチンラウレート、ジオクチルチンラウレート等が挙げられる。
【００８７】
（ｄ）．上記反応終了後、乳化分散体（反応物）から有機溶媒を除去し、洗浄、乾燥してトナー母体粒子を得る。
有機溶媒を除去するためには、系全体を徐々に層流の攪拌状態で昇温し、一定の温度域で強い攪拌を与えた後、脱溶媒を行うことで紡錘形のトナー母体粒子が作製できる。
また、分散安定剤としてリン酸カルシウム塩などの酸、アルカリに溶解可能な物を用いた場合は、塩酸等の酸により、リン酸カルシウム塩を溶解した後、水洗する等の方法によって、トナー母体粒子からリン酸カルシウム塩を除去する。その他酵素による分解等の操作によっても除去できる。
【００８８】
また、下記に各項目の測定方法について記述する。
［２μｍ以下粒経］
本発明で用いるトナーの２μｍ以下粒子率及び円形度はフロー式粒子像分析装置ＦＰＩＡ−２０００（東亜医用電子株式会社製）により計測できる。具体的な測定方法としては、容器中の予め不純固形物を除去した水１００〜１５０ｍｌ中に分散剤として界面活性剤、好ましくはアルキルベンゼンスフォン酸塩を０．１〜０．５ｍｌ加え、更に測定試料を０．１〜０．５ｇ程度加える。試料を分散した懸濁液は超音波分散器で約１〜３分間分散処理を行い、分散液濃度を３０００〜１万個／μｌとして前記装置によりトナーの形状及び分布を測定することによって得られる。
【００８９】
［分子量］
本発明における分子量はＧＰＣ（ゲルパーミエーションクロマトグラフィー）により次のように測定される。４０℃のヒートチャンバー中でカラムを安定させ、この温度におけるカラムに、溶媒としてＴＨＦを毎分１ｍｌの流速で流し、試料濃度として０．０５〜０．６重量％に調製した樹脂のＴＨＦ試料溶液を５０〜２００μｌ注入して測定する。試料の分子量測定に当たっては、試料の有する分子量分布を、数種の単分散ポリスチレン標準試料により、作成された検量線の対数値とカウント数との関係から算出した。検量線作成用の標準ポリスチレン試料としては、例えば、Pressure Chemical Co.あるいは東洋ソーダ工業社製の分子量が６×１０２、２．１×１０３、４×１０３、１．７５×１０４、５．１×１０４、１．１×１０５、３．９×１０５、８．６×１０５、２×１０６、４．４８×１０６のものを用い、少なくとも１０点程度の標準ポリスチレン試料を用いるのが適当である。また、検出器にはＲＩ（屈折率）検出器を用いる。
【００９０】
［酸価］
ＪＩＳＫ００７０−１９９２に記載の測定方法に準拠して以下の条件で測定を行う。
試料調整：ポリエステル０．５ｇ（酢酸エチル可溶成分では０．３ｇ）をトルエン１２０ｍｌに添加して室温（２３℃）で約１０時間撹拌して溶解する。更にエタノール３０ｍｌを添加して試料溶液とする。
測定は上記記載の装置にて計算することが出来るが、具体的には次のように計算する。
あらかじめ標定されたＮ／１０苛性カリ〜アルコール溶液で滴定し、アルコールカリ液の消費量から次の計算で酸価を求める。
酸価＝ＫＯＨ（ｍｌ数）×Ｎ×５６．１／試料重量
（ただしＮはＮ／１０ＫＯＨのファクター）
【００９１】
［水酸基価］
試料０．５ｇを１００ｍｌのメスフラスコに精秤し、これにアセチル化試薬５ｍｌを正しく加える。その後１００℃±５℃の浴中に浸して加熱する。１〜２時間後フラスコを浴から取り出し、放冷後水を加えて振り動かして無水酢酸を分解する。更に分解を完全にするため再びフラスコを浴中で１０分間以上加熱し放冷後、有機溶剤でフラスコの壁を良く洗う。この液を前記電極を用いてＮ／２水酸化カリウムエチルアルコール溶液で電位差滴定を行いＯＨ価を求める（ＪＩＳＫ００７０−１９６６に準ずる）。
【００９２】
［ガラス転移点（Ｔｇ）］
Ｔｇを測定する装置として、理学電機社製ＴＧ−ＤＳＣシステムＴＡＳ−１００を使用する。まず試料約１０ｍｇをアルミ製試料容器に入れ、それをホルダユニットにのせ、電気炉中にセットする。室温から昇温速度１０℃／ｍｉｎで１５０℃まで加熱した後、１５０℃で１０ｍｉｎ間放置、室温まで試料を冷却して１０ｍｉｎ放置、窒素雰囲気下で再度１５０℃まで昇温速度１０℃／ｍｉｎで加熱してＤＳＣ測定を行う。Ｔｇは、ＴＡＳ−１００システム中の解析システムを用いて、Ｔｇ近傍の吸熱カーブの接線とベースラインとの接点から算出する。
【００９３】
［画像形成装置］
本発明に最良として先に提示した画像形成装置としては、特に以下の特徴をもつ画像形成装置が望ましい。
【００９４】
本発明の装置の１例として先に提示した画像形成装置に関し説明を続けると、図３の例に示されるように、上記潤滑剤（材）塗布手段、潤滑剤塗布工程は、クリーニング手段（７）、クリーニング工程の像担持体回転方向下流側、かつ、帯電手段（１）、帯電工程の上流側に設置されることが望ましい。
【００９５】
また、潤滑剤均し手段（１２）を設けるときには、他の例である図４に示されるように、潤滑剤塗布手段（６）の像担持体回転方向下流側かつ帯電手段（１）上流側に、該潤滑剤均し手段（１２）を設けることが好ましい。
また、その他構成として、図５、図６のような装置構成をとっても良い。
【００９６】
さらに、帯電手段（１）は、図４、図５、図６に示されるような接触式帯電手段、及び、図７に示されるような近接帯電手段であることができ、又は、コロナ放電を用いた帯電方式であることができるが、前記摺擦、接触による問題回避という観点からは、コロナ放電を用いた帯電方式であることが比較的好ましい。
【００９７】
また、前記のように、本発明の画像形成装置は、画像面積率がある一定値以下の画像パターンが連続してある枚数印刷を行った場合に、像担持体表面の放電生成物除去制御を実行するものであることが望ましい。また、画像面積率がある一定値以下の画像パターンが連続してある枚数印刷を行った場合に、現像装置内のトナーを一定量像担持体に現像させるトナー吐き出し制御実行するものであることが望ましい。
【００９８】
さらに、前記のように、本発明の画像形成装置は、像担持体（８）がその表層にフィラーを分散し強化した層をもつ有機感光体を搭載したものであるのが好ましい。これにより、像担持体（８）に、その表層にフィラーを分散し強化した層をもつ有機感光体を使用することによって、像担持体寿命がさらに長くなる。また、耐磨耗性を向上させた像担持体を用いることにより、像担持体表面がフラットな状態を保ちやすくなる。そのため、トナーが表面の微細な凹凸にトラップされることが無くなるため、クリーニング性を維持しやすい。
【００９９】
［表層にフィラーを分散させた有機感光体］
これは、保護層のような表層に耐摩耗性を向上する目的でフィラーを添加した感光体である。有機フィラーとしては、ポリテトラフルオロエチレンのようなフッ素樹脂粉末、シリコーン樹脂粉末、ａ−カーボン粉末等が挙げられ、無機フィラーとしては、銅、スズ、アルミニウム、インジウムなどの金属粉末、酸化錫、酸化亜鉛、酸化チタン、酸化インジウム、酸化アンチモン、酸化ビスマス、アンチモンをドープした酸化錫、錫をドープした酸化インジウム等の金属酸化物、チタン酸カリウムなどの無機材料が挙げられる。これらのフィラーは単独もしくは２種類以上混合して用いられる。これらフィラーは、保護層用塗工液に適当な分散機を用いることにより分散できる。また、フィラーの平均粒径は、０．５μｍ以下、好ましくは０．２μｍ以下にあることが保護層の透過率の点から好ましい。また、本発明において保護層中に可塑剤やレベリング剤を添加してもよい。
【０１００】
［架橋型電荷輸送材料使用の像担持体（有機感光体）］
また、前記のように、本発明の画像形成装置は、像担持体が架橋型電荷輸送材料を使用した有機感光体を搭載したものであるのが好ましい。これにより、像担持体に、その表層にフィラーを分散し強化した層をもつ有機感光体を使用することによって、像担持体寿命がさらに長くなる。
また、耐磨耗性を向上させた像担持体を用いることにより、像担持体表面がフラットな状態を保ちやすくなる。そのため、トナーが表面の微細な凹凸にトラップされることが無くなるため、クリーニング性を維持しやすい。以下に、架橋構造を有する像担持体について説明する。
【０１０１】
［架橋タイプ保護層］
保護層のバインダー構成として、架橋構造からなる保護層も有効に使用される。架橋構造の形成に関しては、１分子内に複数個の架橋性官能基を有する反応性モノマーを使用し、光や熱エネルギーを用いて架橋反応を起こさせ、３次元の網目構造を形成するものである。この網目構造がバインダー樹脂として機能し、高い耐摩耗性を発現するものである。電気的な安定性、耐刷性、寿命の観点から、上記反応性モノマーとして、全部もしくは一部に電荷輸送能を有するモノマーを使用することは非常に有効な手段である。このようなモノマーを使用することにより、網目構造中に電荷輸送部位が形成され、保護層としての機能を十分に発現することが可能となる。
電荷輸送能を有する反応性モノマーとしては、同一分子中に電荷輸送性成分と加水分解性の置換基を有する珪素原子とを少なくとも１つずつ以上含有する化合物、同一分子中に電荷輸送性成分とヒドロキシル基とを含有する化合物、同一分子中に電荷輸送性成分とカルボキシル基とを含有する化合物、同一分子中に電荷輸送性成分とエポキシ基とを含有する化合物、同一分子中に電荷輸送性成分とイソシアネート基とを含有する化合物等が挙げられる。これら反応性基を有する電荷輸送性材料は、単独で用いてもよいし、２種以上併用してもよい。さらに好ましくは、電荷輸送能を有するモノマーとして、電気的・化学的安定性が高いこと、キャリアの移動度が速いこと等から、トリアリールアミン構造を有する反応性モノマーが有効に使用される。
【０１０２】
これ以外に、塗工時の粘度調整、架橋型電荷輸送層の応力緩和、低表面エネルギー化や摩擦係数低減などの機能付与の目的で１官能及び２官能の重合性モノマー及び重合性オリゴマーを併用することができる。これらの重合性モノマー、オリゴマーとしては、公知のものが利用できる。
【０１０３】
また前記架橋型電荷輸送層においては、通常、熱または光を用いて正孔輸送性化合物の重合または架橋を行うが、熱により重合反応を行う際には、熱エネルギーのみで重合反応が進行する場合と重合開始材が必要となる場合があるが、より低い温度で効率よく反応を進行させるためには、開始材を添加することが好ましい。光により重合させる場合は、光として紫外線を用いることが好ましいが、光エネルギーのみで反応が進行することはごく稀であり、一般には光重合開始材が併用される。この場合の重合開始材とは、主には波長４００ｎｍ以下の紫外線を吸収してラジカルやイオン等の活性種を生成し、重合を開始させるものである。なお、本発明においては、上述した熱及び光重合開始材を併用することも可能である。
【０１０４】
このように形成した網目構造を有する電荷輸送層は、耐摩耗性が高い反面、架橋反応時に体積収縮が大きく、あまり厚膜化するとクラックなどを生じる場合がある。このような場合には、保護層を積層構造として、下層（感光層側）には低分子分散ポリマーの保護層を使用し、上層（表面側）に架橋構造を有する保護層を形成してもよい。
【０１０５】
（元感光体）
まず、上記架橋タイプ保護層を用いた像担持体のための元感光体の作成方法を以下に示す。
アルミニウムシリンダー上に下記組成の下引き層塗工液、電荷発生層塗工液、および電荷輸送層塗工液を、浸漬塗工により順次塗布、乾燥して、３．５μｍの下引き層、０．２μｍの電荷発生層、２３μｍの電荷輸送層を形成した。
（下引き層塗工液）
二酸化チタン粉末                              ４００部
メラミン樹脂                                    ６５部
アルキッド樹脂                                １２０部
２−ブタノン                                  ４００部
（電荷発生層塗工液）
ポリビニルブチラール                              ５部
下記構造式のビスアゾ顔料                        １２部
【０１０６】
【化１】
0005224114.tif 000002
２−ブタノン                                  ２００部
シクロヘキサノン                              ４００部
（電荷輸送層塗工液）
ポリカーボネート（Ｚポリカ、帝人化成社製）      １０部
下記構造式の電荷輸送物質（Ｉｐ：５．４ｅＶ）    １０部
【０１０７】
【化２】
0005224114.tif 000003
テトラヒドロフラン                            １００部
【０１０８】
（像担持体Ａ）
上記元感光体に設ける保護層のための保護層塗工液および膜厚・作成条件を下記のようなものにして、「像担持体Ａ」を作成した。
メチルトリメトキシシラン１８２質量部、ジヒドロキシメチルトリフェニルアミン４０質量部、２−プロパノール２２５質量部、２％酢酸１０６質量部、アルミニウムトリスアセチルアセトナート１質量部を混合し、保護層用の塗布液を調製した。この塗布液を前記電荷輸送層の上に塗布・乾燥し、１１０℃、１時間の加熱硬化を行い、膜厚３μｍの保護層を形成した。
【０１０９】
（像担持体Ｂ）
保護層塗工液および膜厚・作成条件を下記のように代えた以外は像担持体Ａと同様にして、「像担持体Ｂ」を作成した。
正孔輸送性化合物（下記構造式（１））を３０質量部、アクリルモノマー（下記構造式（２））３０質量部及び光重合開始剤（１−ヒドロキシ−シクロヘキシル−フェニル−ケトン）０．６質量部を、モノクロロベンゼン５０質量部／ジクロロメタン５０質量部の混合溶媒中に溶解し、表面保護層用塗料を調製した。この塗料をスプレーコーティング法により先の電荷輸送層上に塗布し、メタルハライドランプを用いて５００ｍＷ／ｃｍ２の光強度で３０秒間硬化させることによって、膜厚５μｍの表面保護層を形成した。
【０１１０】
【化３】
0005224114.tif 000004
【０１１１】
［アモルファスシリコン感光体（像担持体）］
本発明の画像形成装置は、像担持体（感光体）が、アモルファスシリコンからなることが、同様に好ましい。これにより、像担持体に、その表層にフィラーを分散し強化した層をもつ有機感光体を使用することによって、像担持体寿命がさらに長くなる。また、耐磨耗性を向上させた像担持体を用いることにより、像担持体表面がフラットな状態を保ちやすくなる。そのため、トナーが表面の微細な凹凸にトラップされることが無くなるため、クリーニング性を維持しやすい。
【０１１２】
アモルファスシリコン電子写真用感光体としては、導電性支持体を５０℃〜４００℃に加熱し、該支持体上に真空蒸着法、スパッタリング法、イオンプレーティング法、熱ＣＶＤ法、光ＣＶＤ法、プラズマＣＶＤ法等の成膜法によりａ−Ｓｉからなる光導電層を有するアモルファスシリコン感光体（以下、「ａ−Ｓｉ系感光体」と称する）を用いることができる。なかでもプラズマＣＶＤ法、すなわち、原料ガスを直流または高周波あるいはマイクロ波グロー放電によって分解し、支持体上にａ−Ｓｉ堆積膜を形成する方法が好適なものとして用いられている。
【０１１３】
（アモルファスシリコン感光体の層構成）
アモルファスシリコン感光体の層構成は例えば以下のようなものであり、図８は層構成を説明するための模式的構成図である。図８（ａ）に示す電子写真用感光体（５００）は、支持体（５０１）の上にａ−Ｓｉ：Ｈ，Ｘからなり光導電性を有する光導電層（以下、場合により「感光層」ともいうことがある）（５０２）が設けられている。図８（ｂ）に示す電子写真用感光体（５００）は、支持体（５０１）の上に、ａ−Ｓｉ：Ｈ，Ｘからなり光導電性を有する光導電層（５０２）と、アモルファスシリコン系表面層（５０３）とから構成されている。図８（ｃ）に示す電子写真用感光体（５００）は、支持体（５０１）の上に、ａ−Ｓｉ：Ｈ，Ｘからなり光導電性を有する光導電層（５０２）と、アモルファスシリコン系表面層（５０３）と、アモルファスシリコン系電荷注入阻止層（５０４）とから構成されている。図８（ｄ）に示す電子写真用感光体（５００）は、支持体（５０１）の上に、光導電層が設けられている。
光導電層はａ−Ｓｉ：Ｈ，Ｘからなる電荷発生層（５０５）ならびに電荷輸送層（５０６）とからなり、その上にアモルファスシリコン系表面層（５０３）が設けられている。
【０１１４】
（支持体）
感光体の支持体としては、導電性でも電気絶縁性であってもよい。導電性支持体としては、Ａｌ、Ｃｒ、Ｍｏ、Ａｕ、Ｉｎ、Ｎｂ、Ｔｅ、Ｖ、Ｔｉ、Ｐｔ、Ｐｄ、Ｆｅ等の金属、およびこれらの合金、例えばステンレス等が挙げられる。また、ポリエステル、ポリエチレン、ポリカーボネート、セルロースアセテート、ポリプロピレン、ポリ塩化ビニル、ポリスチレン、ポリアミド等の合成樹脂のフィルムまたはシート、ガラス、セラミック等の電気絶縁性支持体の少なくとも感光層を形成する側の表面を導電処理した支持体も用いることができる。
支持体の形状は平滑表面あるいは凹凸表面の円筒状または板状、無端ベルト状であることができ、その厚さは、所望通りの画像形成装置用感光体を形成し得るように適宜決定するが、画像形成装置用感光体としての可撓性が要求される場合には、支持体としての機能が充分発揮できる範囲内で可能な限り薄くすることができる。しかしながら、支持体は製造上および取り扱い上、機械的強度等の点から通常は１０μｍ以上とされる。
【０１１５】
（電荷注入防止層）
本発明に用いることができるアモルファスシリコン感光体には、必要に応じて導電性支持体（５０１）と光導電層（５０２）との間に、導電性支持体（５０１）側からの電荷の注入を阻止する働きのある電荷注入阻止層（５０４）を設けるのがいっそう効果的である（図８（ｃ））。すなわち、電荷注入阻止層（５０４）は感光層（５０２）が一定極性の帯電処理をその自由表面に受けた際、支持体側より光導電層（５０２）側に電荷が注入されるのを阻止する機能を有し、逆の極性の帯電処理を受けた際にはそのような機能が発揮されない、いわゆる極性依存性を有している。そのような機能を付与するために、電荷注入阻止層（５０４）には伝導性を制御する原子を光導電層（５０２）に比べ比較的多く含有させる。電荷注入阻止層（５０４）の層厚は所望の電子写真特性が得られること、及び経済的効果等の点から好ましくは０．１〜５μｍ、より好ましくは０．３〜４μｍ、最適には０．５〜３μｍとされるのが望ましい。
【０１１６】
（光導電層）
光導電層（５０２）は必要に応じて下引き層上に形成され、光導電層（５０２）の層厚は所望の電子写真特性が得られること及び経済的効果等の点から適宜所望にしたがって決定され、好ましくは１〜１００μｍ、より好ましくは２０〜５０μｍ、最適には２３〜４５μｍとされるのが望ましい。
下引き層は、一般には樹脂を主成分とするが、これらの樹脂はその上に感光層を溶剤で塗布することを考えると、一般の有機溶剤に対して耐溶剤性の高い樹脂であることが望ましい。このような樹脂としては、ポリビニルアルコール、カゼイン、ポリアクリル酸ナトリウム等の水溶性樹脂、共重合ナイロン、メトキシメチル化ナイロン等のアルコール可溶性樹脂、ポリウレタン、メラミン樹脂、フェノール樹脂、アルキッド−メラミン樹脂、エポキシ樹脂等、三次元網目構造を形成する硬化型樹脂等が挙げられる。下引き層は、前述の感光層の如く適当な溶媒及び塗工法を用いて形成することができる。下引き層の膜厚は０〜５［μｍ］が適当である。
【０１１７】
（電荷輸送層）
図８（ｄ）の電子写真用感光体（５００）における電荷輸送層（５０６）は、光導電層を機能分離した場合の電荷を輸送する機能を主として奏する層である。
この電荷輸送層（５０６）は、その構成要素として少なくともシリコン原子と炭素原子と弗素原子とを含み、必要であれば水素原子、酸素原子を含むａ−ＳｉＣ（Ｈ、Ｆ、Ｏ）からなり、所望の光導電特性、特に電荷保持特性，電荷発生特性および電荷輸送特性を有する。本発明においては酸素原子を含有することが特に好ましい。
電荷輸送層（５０６）の層厚は所望の電子写真特性が得られることおよび経済的効果などの点から適宜所望にしたがって決定され、電荷輸送層については、好ましくは５〜５０μｍ、より好ましくは１０〜４０μｍ、最適には２０〜３０μｍとされるのが望ましい。
【０１１８】
（電荷発生層）
電荷発生層（５０５）は、光導電層を機能分離した場合の電荷を発生する機能を主として奏する層である。この電荷発生層（５０５）は、構成要素として少なくともシリコン原子を含み、実質的に炭素原子を含まず、必要であれば水素原子を含むａ−Ｓｉ：Ｈから成り、所望の光導電特性、特に電荷発生特性，電荷輸送特性を有する。電荷発生層（５０５）の層厚は所望の電子写真特性が得られることおよび経済的効果等の点から適宜所望にしたがって決定され、好ましくは０．５〜１５μｍ、より好ましくは１〜１０μｍ、最適には１〜５μｍとされる。
【０１１９】
［表面層］
本発明に用いることができるアモルファスシリコン感光体には必要に応じて、上述のようにして支持体（５０１）上に形成された光導電層（５０２、又は５０６＋５０５）の上に、更に表面層（５０３）を設けることができ、アモルファスシリコン系の表面層を形成することが好ましい。この表面層（５０３）は自由表面を有し、主に耐湿性、連続繰り返し使用特性、電気的耐圧性、使用環境特性、耐久性において本発明の目的を達成するために設けられる。
本発明における表面層（５０３）の層厚としては、通常０．０１〜３μｍ、好適には０．０５〜２μｍ、最適には０．１〜１μｍとされるのが望ましいものである。層厚が０．０１μｍよりも薄いと感光体を使用中に摩耗等の理由により表面層が失われてしまい、３μｍを超えると残留電位の増加等の電子写真特性低下がみられる。
【実施例】
【０１２０】
以下に実施例をあげて本発明を具体的に説明するが、本発明はこれら実施例に限定されるものではない。なお、ここでの部は質量部である。
実施例においては、トナー材料の構成比を変化させてトナーを作成し、それらのトナーを用いたときの像担持体磨耗量を評価した。
【０１２１】
実験のサンプルとなるトナーは、次のように製造した。
〔トナーＡ〕
冷却管、攪拌機及び窒素導入管の付いた反応槽中に、ビスフェノールＡエチレンオキサイド２モル付加物２２９部、ビスフェノールＡプロピオンオキサイド３モル付加物５２９部、テレフタル酸２０８部、アジピン酸４６部及びジブチルスズオキシド２部を投入し、常圧下、２３０℃で８時間反応させた。次に、１０〜１５ｍｍＨｇの減圧下で５時間反応させた後、反応槽中に無水トリメリット酸４４部を添加し、常圧下、１８０℃で２時間反応させて、未変性ポリエステル樹脂を合成した。
得られた未変性ポリエステル樹脂は、数平均分子量が２５００、重量平均分子量が６７００、ガラス転移温度が４３℃、酸価が２５ｍｇＫＯＨ／ｇであった。
水１２００部、カーボンブラックＰｒｉｎｔｅｘ３５（デクサ社製；ＤＢＰ吸油量＝４２ｍｌ／１００ｍｇ、ｐＨ＝９．５）５４０部及び未変性ポリエステル樹脂１２００部を、ヘンシェルミキサー（三井鉱山社製）を用いて混合した。二本ロールを用いて、得られた混合物を１５０℃で３０分混練した後、圧延冷却し、パルペライザー（ホソカワミクロン社製）で粉砕して、マスターバッチを調製した。
撹拌棒及び温度計をセットした反応容器中に、未変性ポリエステル樹脂３７８部、カルナバワックス１１０部、サリチル酸金属錯体Ｅ−８４（オリエント化学工業社製）２２部及び酢酸エチル９４７部を仕込み、撹拌下、８０℃まで昇温し、８０℃で５時間保持した後、１時間かけて３０℃まで冷却した。次に、反応容器中に、マスターバッチ５００部及び酢酸エチル５００部を仕込み、１時間混合して原料溶解液を得た。
得られた原料溶解液１３２４部を反応容器に移し、ビーズミルのウルトラビスコミル（アイメックス社製）を用いて、０．５ｍｍジルコニアビーズを８０体積％充填し、送液速度が１ｋｇ／時、ディスク周速度が６ｍ／秒の条件で３パスして、Ｃ．Ｉ．ピグメントレッド及びカルナバワックスを分散させ、ワックス分散液を得た。
次に、ワックス分散液に未変性ポリエステル樹脂の６５重量％酢酸エチル溶液１３２４部を添加した。上記と同様の条件でウルトラビスコミルを用いて１パスして得られた分散液２００部に、少なくとも一部をベンジル基を有する第４級アンモニウム塩で変性した層状無機鉱物モンモリロナイト（クレイトンＡＰＡ  Ｓｏｕｔｈｅｒｎ  Ｃｌａｙ  Ｐｒｏｄｕｃｔｓ社製）３部を添加し、Ｔ．Ｋ．ホモディスパー（特殊機化工業社製）を用いて、３０分間攪拌し、トナー材料の分散液を得た。
【０１２２】
得られたトナー材料の分散液の粘度を、以下のようにして測定した。
直径２０ｍｍのパラレルプレートを備えたパラレルプレート型レオメータＡＲ２０００（ディー・エイ・インスツルメント・ジャパン社製）を用いて、ギャップを３０μｍにセットし、トナー材料の分散液に対して、２５℃において、せん断速度３００００秒−１で３０秒間せん断力を加えた後、せん断速度を０秒−１から７０秒−１まで２０秒間で変化させた時の粘度（粘度Ａ）を測定した。また、パラレルプレート型レオメータＡＲ２０００を用いて、トナー材料の分散液に対して、２５℃において、せん断速度３００００秒−１で３０秒間せん断力を加えた時の粘度（粘度Ｂ）を測定した。この結果を表１に示した。
【０１２３】
冷却管、撹拌機及び窒素導入管の付いた反応容器中に、ビスフェノールＡエチレンオキサイド２モル付加物６８２部、ビスフェノールＡプロピレンオキサイド２モル付加物８１部、テレフタル酸２８３部、無水トリメリット酸２２部及びジブチルスズオキシド２部を仕込み、常圧下、２３０℃で８時間反応させた。次に、１０〜１５ｍＨｇの減圧下で、５時間反応させて、中間体ポリエステル樹脂を合成した。
得られた中間体ポリエステル樹脂は、数平均分子量が２１００、重量平均分子量が９５００、ガラス転移温度が５５℃、酸価が０．５ｍｇＫＯＨ／ｇ、水酸基価が５１ｍｇＫＯＨ／ｇであった。
【０１２４】
次に、冷却管、撹拌機及び窒素導入管の付いた反応容器中に、中間体ポリエステル樹脂４１０部、イソホロンジイソシアネート８９部及び酢酸エチル５００部を仕込み、１００℃で５時間反応させて、プレポリマーを合成した。得られたプレポリマーの遊離イソシアネート含有量は、１．５３重量％であった。
撹拌棒及び温度計をセットした反応容器中に、イソホロンジアミン１７０部及びメチルエチルケトン７５部を仕込み、５０℃で５時間反応させ、ケチミン化合物を合成した。得られたケチミン化合物のアミン価は、４１８ｍｇＫＯＨ／ｇであった。
反応容器中に、トナー材料の分散液７４９部、プレポリマー１１５部及びケチミン化合物２．９部を仕込み、ＴＫ式ホモミキサー（特殊機化製）を用いて５０００ｒｐｍで１分間混合して、油相混合液を得た。
撹拌棒及び温度計をセットした反応容器中に、水６８３部、反応性乳化剤（メタクリル酸のエチレンオキシド付加物の硫酸エステルのナトリウム塩）エレミノールＲＳ−３０（三洋化成工業社製）１１部、スチレン８３部、メタクリル酸８３部、アクリル酸ブチル１１０部及び過硫酸アンモニウム１部を仕込み、４００ｒｐｍで１５分間撹拌し、乳濁液を得た。乳濁液を加熱して、７５℃まで昇温して５時間反応させた。次に、１重量％過硫酸アンモニウム水溶液３０部を添加し、７５℃で５時間熟成して、樹脂粒子分散液を調製した。
【０１２５】
（トナー材料液の分散質粒子の粒径及び分散粒子径の分布）
本発明においては、トナー材料液の分散質粒径、分散粒径分布の測定に「マイクロトラックＵＰＡ−１５０」（日機装社製）を用いて測定し、解析ソフト「マイクロトラック  パーティクルサイズ  アナライザ−Ｖｅｒ．１０．１．２−０１６ＥＥ」（日機装社製）を用いて解析を行った。具体的にはガラス製３０ｍｌサンプル瓶にトナー材料液、次いでトナー材料液作製に用いた溶媒を添加し、１０質量％の分散液を調製した。得られた分散液を「超音波分散器Ｗ−１１３ＭＫ−II」（本多電子社製）で２分間分散処理した。
測定するトナー材料液に用いた溶媒でバックグラウンドを測定した後、前記分散液を滴下し、測定器のサンプルローディングの値が１〜１０の範囲となる条件で分散粒子径を測定した。本測定法は分散粒子径の測定再現性の点から測定器のサンプルローディングの値が１〜１０の範囲となる条件で測定することが重要である。前記サンプルローディングの値を得るために前記分散液の滴下量を調節する必要がある。
【０１２６】
測定・解析条件は以下のように設定した。
分布表示：体積、粒径区分選択：標準、チャンネル数：４４、測定時間：６０ｓｅｃ、測定回数：１回、粒子透過性：透過、粒子屈折率：１．５、粒子形状：非球形、密度：１ｇ／３ｃｍ３、溶媒屈折率の値は日機装社発行の「測定時の入力条件に関するガイドライン」に記載されている値のうちトナー材料液に用いた溶媒の値を用いた。
【０１２７】
水９９０部、樹脂粒子分散液８３部、ドデシルジフェニルエーテルジスルホン酸ナトリウムの４８．５重量％水溶液エレミノールＭＯＮ−７（三洋化成工業社製）３７部、高分子分散剤カルボキシメチルセルロースナトリウムの１重量％水溶液セロゲンＢＳ−Ｈ−３（第一工業製薬社製）１３５部及び酢酸エチル９０部を混合撹拌し、水系媒体を得た。
水系媒体１２００部に、油相混合液８６７部を加え、ＴＫ式ホモミキサーを用いて、１３０００ｒｐｍで２０分間混合して、分散液（乳化スラリー）を調製した。
次に、撹拌機及び温度計をセットした反応容器中に、乳化スラリーを仕込み、３０℃で８時間脱溶剤した後、４５℃で４時間熟成を行い、分散スラリーを得た。
【０１２８】
分散スラリー１００部を減圧濾過した後、濾過ケーキにイオン交換水１００部を添加し、ＴＫ式ホモミキサーを用いて１２０００ｒｐｍで１０分間混合した後、濾過した。
得られた濾過ケーキに１０重量％塩酸を加えて、ｐＨを２．８に調整し、ＴＫ式ホモミキサーを用いて１２０００ｒｐｍで１０分間混合した後、濾過した。
さらに、得られた濾過ケーキにイオン交換水３００部を添加し、ＴＫ式ホモミキサーを用いて１２０００ｒｐｍで１０分間混合した後、濾過する操作を２回行い、最終濾過ケーキを得た。
得られた最終濾過ケーキを、循風乾燥機を用いて４５℃で４８時間乾燥し、目開き７５μｍメッシュで篩い、トナーを製造した。
このようにして得られたトナー母体に対し、平均一次粒径が１５０ｎｍの樹脂微粒子（綜研化学社製  アクリル非架橋型単分散樹脂粒子ＭＰ−１４５１）を１部添加し、さらに酸化シリカ（本発明においては、クラリアントジャパン社製Ｈ２０００を用いたが、他Ｈ１３０３、Ｈ３００４（ともにクラリアントジャパン社製）を用いてもよい）を１．０部、酸化チタン（本発明においては、テイカ製ＪＭＴ１５０ＩＢを用いたが、他ＭＴ１５０ＡＩ、ＳＭＴ１５０ＡＩ、他ＳＭＴ１５０ＡＦＭ、ＳＭＴ１５０ＡＦＭなどを用いても良い）を１．０部添加し、ヘンシェルミキサーを用いて混合を行い、「トナーＡ」を得た。
ここで製造されたトナーＡの物性を表１に示す。
また、ここでは樹脂粒子（Ｐ１）として綜研化学社製アクリル非架橋型単分散樹脂粒子ＭＰ−１４５１を用いたが、他の平均一次粒子径６０〜６００ｎｍの樹脂粒子（Ｐ１）としては、綜研化学社製の、アクリル非架橋型単分散樹脂粒子、ＭＰ３００、ＭＰ２２００、ＭＰ２７０１、ＭＰ５０００、ＭＰ５５００、ＭＰ４００９が挙げられ、これらを使用してもよい。
【０１２９】
〔トナーＢ〕
変性層状無機鉱物（商品名：クレイトンＡＰＡ）の添加量を３部から２部に変更した以外は、トナーＡと同様にして「トナーＢ」を製造した。ここで製造されたトナーＢの物性を表１に示す。
【０１３０】
（トナーＣ）
粗粉が多くなるように上記で得られた、外添前のトナーＡ母体を分級し、平均粒径を大きくしたトナーＣ母体を得、ついでトナーＡと同様の外添処理を行い、「トナーＣ」を得た。
【０１３１】
（トナーＤ）
トナーＡにおいて平均一次粒径が１５０ｎｍの樹脂微粒子（綜研化学社製  アクリル非架橋型単分散樹脂粒子ＭＰ−１４５１）を１部添加するかわりに、平均一次粒径が４００ｎｍの樹脂微粒子（綜研化学社製  アクリル非架橋型単分散樹脂粒子ＭＰ−１０００）を３部添加することに変更した以外は、トナーＡと同様にして「トナーＤ」を得た。
【０１３２】
（トナーＥ）
クレイトンＡＰＡから少なくとも一部を、ポリオキシエチレン基を有するアンモニウム塩で変性した層状無機鉱物モンモリロナイト（クレイトンＨＹ  Ｓｏｕｔｈｅｒｎ  Ｃｌａｙ  Ｐｒｏｄｕｃｔｓ社製）に変更した以外は、トナーＡと同様にして「トナーＥ」を製造した。ここで製造されたトナーＥの物性を表１に示す。
【０１３３】
（トナーＦ）
クレイトンＡＰＡの添加量を、３部から１．４部に変更した以外はトナーＡと同様にして「トナーＦ」を製造した。ここで製造されたトナーＦの物性を表１に示す。
【０１３４】
（トナーＧ）
クレイトンＡＰＡの添加量を、３部から６部に変更した以外はトナーＡと同様にして「トナーＧ」を製造した。ここで製造されたトナーＧの物性を表１に示す。
【０１３５】
＜比較例＞
（トナーＨ）
トナーＦで得られた外添前のトナーＦ母体を分級し、トナー平均粒径を小さくしたトナーＨ母体を得、ついでトナーＡと同様の外添処理を行い、「トナーＨ」を得た。
【０１３６】
（トナーＩ）
クレイトンＡＰＡ（Ｓｏｕｔｈｅｒｎ  Ｃｌａｙ  Ｐｒｏｄｕｃｔｓ社製）を、未変性層状無機鉱物モンモリロナイト（商品名：クニピア  クニミネ工業株式会社製）に変更した以外は、トナーＡと同様にしてトナーＩの製造を行った。ここで製造された「トナーＩ」の物性を表１に示す。
【０１３７】
（トナーＪ）
平均一次粒径が８００ｎｍの樹脂微粒子（綜研化学社製  アクリル非架橋型単分散樹脂粒子ＭＰ−１６００）に変更した以外は、トナーＡと同様にして「トナーＪ」を得た。
【０１３８】
上記方法により製造した「トナーＡ」〜「トナーＪ」を用い、下記の方法、条件により画像形成を行った。なお、画像形成に用いる像担持体は、上記本文中の、表層にフィラーを分散させた像担持体を使用した。評価結果を表１に示す。
（１）実験に用いるサンプルトナー、装置を全て２５℃、５０％環境室に１日放置。
（２）Ｉｍａｇｉｏ  ｎｅｏ  Ｃ６００市販品ＰＣＵを改造し、一次転写後にクリーニング補助ブラシ、その後にクリーニングブレード、その後にステアリン酸亜鉛をバー状に成型した固形潤滑剤を当接させた潤滑剤塗布ブラシ、その後に潤滑剤均しブレードをそれぞれ像担持体に当接するようにした。
（３）クリーニングブレードの弾性率は７０％、厚さは２ｍｍ、カウンターで像担持体に対する当接角度は２０°とした。
（４）ＰＣＵのトナーを全て除去し、現像装置中にキャリアのみを残す。
（５）キャリアのみになった現像装置中に、サンプルとなるトナーを２８ｇ投入し、トナー濃度７％の現像剤を４００ｇ作成する。
（６）Ｉｍａｇｉｏ  ｎｅｏ  Ｃ６００本体に、改造したＰＣＵを装着し、現像スリーブ線速３００ｍｍ／ｓで、現像装置のみを５分間空回しさせる。
（７）現像スリーブ、感光体ともに３００ｍｍ／ｓトレーリングで回転させ、感光体上のトナー０．６±０．０５ｍｇ／ｃｍ２となるように帯電電位、現像バイアスを調整した。
（８）上記現像条件において、転写率が９６±２％となるよう、転写電流を調整した。上記設定値を用いて、図９に示す画像面積率５％のチャート１０００００枚連続して印刷した。
（９）印刷後の潤滑剤へのトナーの付着状態を目視で観察した。
（１０）潤滑剤へのトナー固着が確認されず、異常画像の発生も無かった場合を◎、潤滑剤へ指で拭取れる程度のトナーが付着していたが、異常画像発生には至っていない場合を○、潤滑剤へのトナーが固着し、異常画像を発生した場合を×として評価した。
（１１）上記実験を各トナーに対して行った。
【０１３９】
評価結果を表１に示す。この実験結果より、本発明のトナーを用いる実施例Ａ〜Ｇでは潤滑剤にトナーは付着せず、また、付着した場合においても簡単に取り除くことができ、異常画像を発生することなく安定して画像形成を行えているということが明らかになった。
一方、比較例Ｈ〜Ｊでは、潤滑剤にトナーが固着し、安定した画像形成を行うことが出来ないことが明らかになった。
【０１４０】
（比較例Ｋ）
上記トナーＡを用い、上記条件（２）で、Ｉｍａｇｉｏ  ｎｅｏ  Ｃ６００市販品ＰＣＵを、一次転写後にクリーニング補助ブラシ、その後にステアリン酸亜鉛をバー状に成型した固形潤滑剤を当接させた潤滑剤塗布ブラシをそれぞれ像担持体に当接するように改造した以外は同様にして実験を行った。
【０１４１】
【表１】
0005224114.tif 000005
【図面の簡単な説明】
【０１４２】
【図１】画像形成装置の全体を示す図である。
【図２】従来の画像形成装置の主要部を示す図である。
【図３】本発明の画像形成装置を示す図である。
【図４】本発明の他の画像形成装置を示す図である。
【図５】本発明のさらに他の画像形成装置を示す図である。
【図６】本発明のさらに他の画像形成装置を示す図である。
【図７】本発明のさらに他の画像形成装置を示す図である。
【図８】本発明におけるアモルファスシリコン感光体の層構造の１例を示す図である。
【図９】画像チャートを示す図である。
【符号の説明】
【０１４３】
１  帯電手段
２  露光手段
３  現像手段
４  転写手段
５  潤滑剤
６  潤滑剤塗布手段
７  クリーニング手段
８  像担持体
９  給紙手段
１０  定着手段
１１  クリーニング補助手段
１２  潤滑剤均し手段
５００  像担持体（電子写真用感光体）
５０１  支持体
５０２  光導電層
５０３  表面層
５０４  電荷注入層
５０５  電荷発生層
【図１】
0005224114.tif 000006
【図２】
0005224114.tif 000007
【図３】
0005224114.tif 000008
【図４】
0005224114.tif 000009
【図５】
0005224114.tif 000010
【図６】
0005224114.tif 000011
【図７】
0005224114.tif 000012
【図８】
0005224114.tif 000013
【図９】
0005224114.tif 000014